(57)【特許請求の範囲】
【請求項１】
主要長手方向軸、近位端部（１０１）および逆側の遠位端部（１０２）を有する長尺能動的温度調節新生児運搬保育器（ＡＮＴＩ、１００）であって、前記ＡＮＴＩ（１００）は、
前記端部のうちの少なくとも一方に近接し、前記主要長手方向軸に垂直な側面壁部に配置された温度調節通気孔（ＴＲＶ）であって、実質的に前記軸に沿って、空気を一方の端部から逆側の端部へと流すよう構成される、温度調節通気孔（ＴＲＶ、１４０）と、
前記逆側の端部から前記ＴＲＶへ空気をリサイクルするための少なくとも１つの空気リサイクル機構（ＡＲＭ）であって、前記ＡＲＭは前記逆側の端部と前記ＴＲＶとの間を接続するチューブ（１１０）を備え、前記チューブ（１１０）は、前記ＡＮＴＩ（１００）の周囲から新鮮な空気（１１３）を引きこむための開口部（１１２）を備える、空気リサイクル機構（ＡＲＭ）と、
を備え、
前記チューブ（１１０）は、リサイクルされた空気（１１５）と前記ＡＮＴＩ（１００）内に流れる新鮮な空気（１１３）の量の割合を調節するための空気流調節器（１１４）をさらに備え、
さらに前記ＡＮＴＩ（１００）は、サイズおよび形状により、前記軸に対して平行に新生児（１）を収容するよう構成されている、ＡＮＴＩ。
【請求項２】
前記ＡＮＴＩの少なくとも一部分は、磁気共鳴映像装置（ＭＲＤ）の開放ボアに適合するように寸法決めされている、請求項１に記載のＡＮＴＩ。
【請求項３】
前記ＴＲＶ（１４０）は、少なくとも１つの通気モジュール（１０３）と、少なくとも１つの加熱／冷却モジュール（１０５）とを備える、請求項１に記載のＡＮＴＩ。
【請求項４】
前記通気モジュール（１０３）または前記加熱／冷却モジュール（１０５）のいずれかに隣接して位置する少なくとも１つのフィルタ（１０６）をさらに備える、請求項３に記載のＡＮＴＩ。
【請求項５】
空気流ストリームを低速化および軽減するための空気乱流化手段（ＡＴＭ、１３１）を追加的に含む、請求項１に記載のＡＮＴＩ。
【請求項６】
前記逆側の端部に配置された少なくとも１つの第２ＴＲＶをさらに含む、請求項１に記載のＡＮＴＩ。
【請求項７】
前記少なくとも１つのＴＲＶは、前記ＡＮＴＩの外部に配置され、配管により前記ＡＮＴＩと空気連通する、請求項１に記載のＡＮＴＩ。
【請求項８】
前記ＡＮＴＩは、壁部および前記壁部の近傍に配置された、中央部分および周辺部分を有する前記主要長手方向軸に対して垂直な断面をさらに含み、前記ＡＮＴＩは、空気バッフル（１２１）と前記壁部との間にアパーチャを残して前記中央部分における前記ＡＮＴＩ内に配置された少なくとも１つの空気バッフル（１２１）をさらに含み、それにより内部に存在する前記新生児の位置を迂回するように前記壁部に対して平行で直線に空気を流れさせる、請求項１に記載のＡＮＴＩ。
【請求項９】
前記ＡＮＴＩは、ユーザにより構成可能であるか、少なくとも１つのセンサにより受け取られた情報にしたがって自動的に調節されるか、またはその両方である、空気流を有するよう構成されている、請求項１に記載のＡＮＴＩ。
【請求項１０】
前記ＡＮＴＩは、ＭＲＤにより生成される音響、前記ＴＲＶにより生成される音響、および前記ＡＮＴＩ内の空気運動の音響、のうちの１つまたは複数を少なくとも部分的に減衰させるよう構成された音響減衰手段を含む、請求項１に記載のＡＮＴＩ。
【請求項１１】
前記ＡＮＴＩ、前記ＴＲＶ、またはその両方は外部供給される加圧ガスに接続されている、請求項１に記載のＡＮＴＩ。
【請求項１２】
前記ＡＮＴＩの少なくとも１部分が二重ジャケット壁構成（ＤＪＷ）を含み、前記ＤＪＷは、穿孔された内部壁部（２５１）と、完全な状態の穿孔されていない外部壁部（１５０）と、を含み、前記ＤＪＷは、事前定義された幅（ｗ）および長さ（ｌ）を有する導管において前記主要長手方向軸に沿う空気ストリームを支援する、請求項１に記載のＡＮＴＩ。
【請求項１３】
前記幅（ｗ）および前記長さ（ｌ）は前記主要長手方向軸に沿って変化する、請求項１２に記載のＡＮＴＩ。
【請求項１４】
前記導管は、音響減衰手段、断熱材料、振動低減手段、ＲＦコイル、伝導性材料および非伝導性材料のうちの少なくとも１つを含む、請求項１２に記載のＡＮＴＩ。
【請求項１５】
前記ＡＮＴＩ、前記ＴＲＶ、またはその両方の少なくとも１部分はＭＲＩ安全性を有する材料から作られている、請求項１に記載のＡＮＴＩ。
【請求項１６】
前記ＡＮＴＩは、少なくとも１つのセンサから受け取られた信号、ユーザにより定義された値、および前記新生児の事前定義された身体的状況、のうちの１つまたは複数に応答して前記ＴＲＶの制御を行うよう構成された中央処理装置（ＣＰＵ）を含む、請求項１に記載のＡＮＴＩ。
【請求項１７】
前記ＡＮＴＩは、アルファ線放射、ベータ線放射、ガンマ線放射、Ｘ線放射、磁気放射、電離放射、熱放射、赤外線放射、および音響放射、のうちの１つまたは複数に対して透過性を有する、請求項１に記載のＡＮＴＩ。
【請求項１８】
前記ＡＮＴＩは、少なくとも１つの支持柱（１４０３）により可動式基部（１４０１）に相互接続され、可動式温度調節運搬保育器（ＭＴＩ）が形成される、請求項１に記載のＡＮＴＩ。
【請求項１９】
前記可動式基部（１４０１）および前記少なくとも１つの支持柱（１４０３）はＭＲＩ安全性を有する材料から作られており、前記ＭＴＩは磁気共鳴映像装置（ＭＲＤ）ボア内に少なくとも部分的に挿入されるよう構成されている、請求項１８に記載のＡＮＴＩ。
【発明の詳細な説明】
【技術分野】
【０００１】
本発明は、全般的には、通気および温度調節された新生児用環境に関し、さらに詳細には、前述の環境に関連する保育器および温度調節システムに関する。
【背景技術】
【０００２】
保育器を通って循環する空気の加熱を調節するための最も一般的な方法が加熱器に供給される電力を制御することであることについては、以前から述べられている。参考文献として本明細書に援用される米国特許第ＲＥ３８４５３号では、その壁部にアクセス・ドアを有するフードと、フードが装着され、且つ、デッキ（フードがこのデッキと協働してエンクロージャを画成する）を有する基部と、を含む、本発明にしたがって構築された乳児保育器が開示されている。デッキは開口部を有し、開口部を通って空気がエンクロージャに入り、エンクロージャから出る。この保育器においては、加熱器およびファンも基部内に含まれる。なお加熱器は空気を加熱するためのものであり、ファンは、空気を加熱器に供給し、加熱された空気を加熱器からエンクロージャへと開口部のうちの少なくとも１つを通して誘導し、エンクロージャから加熱器へと開口部のうちの少なくとも１つを通して戻すためのものである。本発明にしたがって構築された乳児保育器は、アクセス・ドアが開かれたときを検出するためにアクセス・ドアの動きに応答する検出手段と、アクセス・ドアが開かれたときに加熱器により生成される熱を増加させ、ファンの速さを高速化するための検出手段応答する制御手段と、をさらに含む。同様の技術が米国特許第６０３６６３４号および米国特許第６６４１５２１号に記載されており、これらの特許は参考文献として本明細書に援用される。米国特許第６５１１４１４号（この特許も本明細書に援用される）では新生児の保育器が開示されており、この保育器においては、温度調節された空気が空気吸入ダクトから上向きに流れ、この流れはノイズが比較的大きく、新生児の快適性が損なわれ得る。
【０００３】
ＭＲＩスキャン装置は、大規模且つ安定した磁界を誘導するために、磁石を用いる。ＭＲＩ装置では、定常的な磁界を有する永久磁石、超電導磁石、および常伝導磁石という３つの主要な種類の磁石が利用される。患者の撮像を行うにあたっては、身体および身体部分は、磁界のアイソセンタに対して決定された正確な位置に配置されなければならない。
【０００４】
Ａｓｐｅｃｔ  Ｍａｇｎｅｔ  Ｔｅｃｈｎｏｌｏｇｉｅｓから市販されるＭＲＩ装置用のＡＳＰＥＣＴ  Ｍ２（登録商標）プラットフォームなどの永久磁石を有するＭＲＩ装置が当該技術分野で周知であり、または他の例が、「ＳＥＬＦ−ＦＡＳＴＥＮＩＮＧ  ＣＡＧＥ  ＳＵＲＲＯＵＮＤＩＮＧ  Ａ  ＭＡＧＮＥＴＩＣ  ＲＥＳＯＮＡＮＣＥ  ＤＥＶＩＣＥ  ＡＮＤ  ＭＥＴＨＯＤＳ  ＴＨＥＲＥＯＦ」を発明の名称とする２００８年５月２７日に出願された米国特許第７７１９２７９（Ｂ２）号で説明されている。これらの装置は通常、患者を収容する台の上方および下方に構築された２つの主要な磁石を含む。これらの上方および下方の強力な磁石を互いに対して正確に配置することは、患者が配置される所望の磁界に到達するにあたって、きわめて重要である。
【発明の概要】
【発明が解決しようとする課題】
【０００５】
通気システムが新生児の下方に配置されることにより所望の最適な磁界に対する患者の配置が変えられ、それにより受け取られた画像の品質が損なわれてしまうために、当該技術分野で周知である温度調節された乳児用保育器はこの種のＭＲＩ装置に対して好適ではない。したがって依然として、磁界のアイソセンタに対する患者の位置を損なうことなく、効果的であり、安全で、ＭＲＩ安全性を満たし、通気され、且つ温度調節された、新生児用環境を提供する必要性が求められている。
【課題を解決するための手段】
【０００６】
本発明では、近位端部および逆側の遠位端部を有する主要長手方向軸を有し、これらの端部のうちの少なくとも一方の端部の近傍に温度調節通気孔（ＴＲＶ）を有し、ＴＲＶは実質的に主要長手方向軸に沿って一方の端部から逆側の端部に向かって空気を流すよう構成され、さらにＡＮＴＩはサイズおよび形状により、新生児を主要長手方向軸に対して平行に収容するよう構成されている、長尺能動的温度調節新生児運搬保育器（ＡＮＴＩ）が提供される。
【０００７】
本発明の他の目的は、ＡＮＴＩの少なくとも１部分はサイズおよび形状により、その長手方向軸に開放ボアを有するＭＲＤ内へと挿入されるよう構成され、さらにＡＮＴＩは新生児をＭＲＤボアに対して平行に収容するよう構成されている、上述のいずれかに定義されたＡＮＴＩを開示することである。
【０００８】
本発明の他の目的は、（ａ）ＴＲＶは、少なくとも１つの第１通気モジュール、少なくとも１つの第１加熱／冷却モジュール、第１通気モジュールまたは第１加熱／冷却モジュールのいずれかの近傍に配置された少なくとも１つのフィルタ、および、これらのあらゆる組み合わせ、からなる群より選択されるモジュールであることと、（ｂ）ＴＲＶは、加熱空気、冷却空気、加湿空気、濾過空気、室温空気、事前決定されたガス濃度の空気、空気、およびこれらのあらゆる組み合わせからなる群より選択される空気をＡＮＴＩへと導入するよう構成された少なくとも１つの通気モジュールを含むことと、（ｃ）ＴＲＶは、温度、湿度、圧力、空中浮遊分子濃度、ガス濃度、およびこれらのあらゆる組み合わせからなる群より選択される空気品質に対するフィードバック機構であって、その空気品質を事前決定された値または値範囲に保持するよう構成されたフィードバック機構を含むことと、（ｄ）ＴＲＶは、ロータの軸に対して垂直に回転する少なくとも１つのロータを有するファンであり、さらに、その軸がＡＮＴＩの主要長手方向軸に対して平行に配置されていることと、のうちの少なくとも１つが真に保たれる、上記のいずれかで定義されたＡＮＴＩを開示することである。
【０００９】
本発明の他の目的は、空気流ストリームを低速化および軽減するための空気乱流化手段（ＡＴＭ）を追加的に含む、上記のいずれかで定義されたＡＮＴＩを開示することである。
【００１０】
本発明の他の目的は、（ａ）ＡＮＴＩは、これらの端部のうちの一方の端部に配置された少なくとも１つの第１ＴＲＶと、逆側の端部に配置された少なくとも１つの第２ＴＲＶと、を含むことと、（ｂ）少なくとも１つのＴＲＶはＡＮＴＩ内に配置されていることと、（ｃ）少なくとも１つのＴＲＶは、ＡＮＴＩの外部に配置され、配管によりＡＮＴＩと空気連通することと、（ｄ）少なくとも１つのＴＲＶはＡＮＴＩと空気連通し、少なくとも１つのＴＲＶはＡＮＴＩから遠隔に配置されていることと、のうちの少なくとも１つが真に保たれる、上記のいずれかで定義されたＡＮＴＩを開示することである。
【００１１】
本発明の他の目的は、ＡＮＴＩは、少なくとも１つの空気リサイクル機構（ＡＲＭ）と空気連通し、ＡＭＲは、（ａ）ＡＮＴＩの外部環境から空気ストリームを収集するための少なくとも１つの空気流入口と、（ｂ）ＡＮＴＩの内部環境から空気ストリームを収集するための、少なくとも１つのリサイクル空気流出口と、（ｃ）ＴＲＶを通してＡＮＴＩの内部環境に向かって空気を導入するための少なくとも１つの空気流入口と、を含む、上記のいずれかで定義されたＡＮＴＩを開示することである。
【００１２】
本発明の他の目的は、リサイクルされた空気ストリーム、ＡＮＴＩの外部環境からの空気ストリーム、ＡＮＴＩの内部環境に向かって流される空気、および、これらのあらゆる組み合わせ、からなる群より選択される少なくとも１つの空気流を調節するための少なくとも１つの空気流調節器を追加的に含む、上記のいずれかで定義されたＡＮＴＩを開示することである。
【００１３】
本発明の他の目的は、ＡＮＴＩの壁部の近傍に配置された中央部分および周辺部分を有する主要長手方向軸に対して垂直な断面を有し、ＡＮＴＩは、近位または遠位の一方の端部、逆側の端部、およびこれらのあらゆる組み合わせ、からなる群より選択される、少なくとも１つの位置に配置された少なくとも１つの空気バッフラをさらに含み、少なくとも１つの空気バッフラがＡＮＴＩ内、またはＡＮＴＩの中央部分の近傍に配置され、それによりそれによりバッフラと壁部との間に、空気が主要長手方向軸に沿って流れるためのアパーチャが提供される、上記のいずれかで定義されたＡＮＴＩを開示することである。
【００１４】
本発明の他の目的は、（ａ）ＡＮＴＩ、ＴＲＶ、またはその両方は少なくとも１つの空気フィルタを含むことと、（ｂ）ＡＮＴＩは、ＡＮＴＩ内において空気流を誘導するよう構成された少なくとも１つの空気流路を含むことと、のうちの少なくとも１つが真に保たれる、上記のいずれかで定義されたＡＮＴＩを開示することである。
【００１５】
本発明の他の目的は、（ａ）ＡＮＴＩは、内部に存在する新生児の位置を迂回するように空気流の偏流を誘導するよう構成されていることと、（ｂ）ＡＮＴＩは、体積Ｗおよび時間ＹあたりＸの空気流を有するよう構成されていることと、（ｃ）ＡＮＴＩは、ユーザにより構成可能であるか、少なくとも１つのセンサにより受け取られた情報にしたがって自動的に調節されるか、またはその両方である、体積Ｗおよび時間ＹあたりＸの空気流を有するよう構成されていることと、（ｄ）ＡＮＴＩは、ＡＮＴＩ内部体積の少なくとも１部分の内部において、線形空気流、乱流空気流、またはその両方を提供するよう構成されていることと、のうちの少なくとも１つが真に保たれる、上記のいずれかで定義されたＡＮＴＩを開示することである。
【００１６】
本発明の他の目的は、ＡＮＴＩは、ＭＲＤにより生成される音響、ＴＲＶにより生成される音響、ＡＮＴＩ内の空気運動の音響、およびこれらのあらゆる組み合わせ、からなる群より選択される音響を少なくとも部分的に減衰させるよう構成された音響減衰手段を含む、上記のいずれかで定義されたＡＮＴＩを開示することである。
【００１７】
本発明の他の目的は、（ａ）ＡＮＴＩ、ＴＲＶ、またはその両方は振動を少なくとも部分的に吸収するよう構成された接続を含むことと、（ｂ）ＡＮＴＩは可撓性振動吸収材料、コネクタ、またはその両方により、ＴＲＶに接続されていることと、のうちの少なくとも１つが真に保たれる、上記のいずれかで定義されたＡＮＴＩを開示することである。
【００１８】
本発明の他の目的は、ＡＮＴＩ、ＴＲＶ、またはその両方は外部供給される加圧ガスに接続されている、上記のいずれかで定義されたＡＮＴＩを開示することである。
【００１９】
本発明の他の目的は、ＡＮＴＩの壁部の少なくとも１部分は二重ジャケット壁構成（ＤＪＷ）であり、ＤＪＷは、穿孔された内部壁部と、完全な状態の穿孔されていない外部壁部と、を含み、それによりＤＪＷは、事前定義された幅（ｗ）および長さ（ｌ）を有する導管における主要長手方向軸に沿う空気ストリームを支援する、上記のいずれかで定義されたＡＮＴＩを開示することである。
【００２０】
本発明の他の目的は、（ａ）幅（ｗ）および長さ（ｌ）は長手方向軸に沿って等しいか、長手方向軸に沿って変化するか、または長手方向軸に沿うこれらのあらゆる組み合わせであることと、（ｂ）二重ジャケット壁間の導管は、音響減衰手段、断熱材料、振動低減手段、ＲＦコイル、伝導性材料、非伝導性材料、およびこれらのあらゆる組み合わせ、からなる群より選択されるものを含むことと、のうちの少なくとも１つが真に保たれる、上記のいずれかで定義されたＡＮＴＩを開示することである。
【００２１】
本発明の他の目的は、長手方向軸に沿ったＡＮＴＩの少なくとも１部分において、ＡＮＴＩの上方壁部における幅（Ｗ）を、その近位側においてＷ１、遠位側においてＷ２、ＡＮＴＩの下方壁部における幅をその近位側においてＷ３、その遠位側においてＷ４として、（ａ）Ｗ１はＷ２よりも大きく、且つＷ３はＷ４よりも大きいことと、（ｂ）Ｗ１はＷ２よりも大きく、且つＷ３はＷ４よりも小さいことと、（ｃ）Ｗ１はＷ２よりも小さく、且つＷ３はＷ４よりも小さいことと、（ｄ）Ｗ１はＷ２よりも小さく、且つＷ３はＷ４よりも大きいことと、（ｅ）Ｗ１はＷ３よりも大きく、且つＷ２はＷ４よりも大きいことと、（ｆ）Ｗ１はＷ３よりも大きく、且つＷ２はＷ４よりも小さいことと、（ｇ）Ｗ１はＷ３よりも小さく、且つＷ２はＷ４よりも小さいことと、（ｈ）Ｗ１はＷ３よりも小さく、且つＷ２はＷ４よりも大きいことと、のうちの少なくとも１つが真に保たれる、上記のいずれかで定義されたＡＮＴＩを開示することである。
【００２２】
本発明の他の目的は、ＡＮＴＩ、ＴＲＶ、またはその両方の少なくとも１部分はＭＲＩ安全性を有する材料により作られている、上記のいずれかで定義されたＡＮＴＩを開示することである。
【００２３】
本発明の他の目的は、ＡＮＴＩは、少なくとも１つのセンサから受け取られた信号に応答してＴＲＶの制御を行うこと、ユーザにより定義された値にしたがってＴＲＶの制御を行うこと、新生児の事前定義された身体的状況にしたがってＴＲＶの制御を行うこと、および、これらのあらゆる組み合わせからなる群より選択されるＴＲＶの制御を行うよう構成された中央処理装置（ＣＰＵ）を含む、上記のいずれかで定義されたＡＮＴＩを開示することである。
【００２４】
本発明の他の目的は、（ａ）ＡＮＴＩは、可逆的に開閉されるよう構成された少なくとも１つのアパーチャを含むことと、（ｂ）ＡＮＴＩは、アルファ線、ベータ線、ガンマ線、Ｘ線、磁気、電離、熱、赤外線、音響、およびこれらのあらゆる組み合わせ、からなる群より選択される放射に対して透過性を有することと、のうちの少なくとも１つが真に保たれる、上記のいずれかで定義されたＡＮＴＩを開示することである。
【００２５】
本発明の他の目的は、ＡＮＴＩは、少なくとも１つの支持棒により可動式基部に相互接続され、それにより、可動式温度調節運搬保育器（ＭＴＩ）が形成される、上記のいずれかで定義されたＡＮＴＩを開示することである。
【００２６】
本発明の他の目的は、（ａ）可動式基部および少なくとも１つの支持体はＭＲＩ安全性を有する材料から作られていることと、（ｂ）ＭＴＩはＭＲＤボア内に少なくとも部分的に挿入されるよう構成されていることと、（ｃ）ＴＲＶは、可動式基部、少なくとも１つの支持体、少なくとも１つのＡＮＴＩ端部、およびこれらのあらゆる組み合わせ、からなる群より選択される位置に配置された少なくとも１つの通気モジュールから構成され、通気モジュールは少なくとも１つの配管により、ＡＮＴＩに接続されていることと、のうちの少なくとも１つが真に保たれる、上記のいずれかで定義されたＡＮＴＩを開示することである。
【００２７】
本発明では、（ａ）近位端部および逆側の遠位端部を有する主要長手方向軸を有する、長尺、能動的、温度調節された、新生児運搬保育器（ＡＮＴＩ）を取得することと、（ｂ）これらの端部のうちの一方の端部の近傍に、温度調節通気孔（ＴＲＶ）を取り付けることと、（ｃ）主要軸に対して平行にＡＮＴＩ内に新生児を収容することと、（ｄ）ＴＲＶによりＡＮＴＩを温度調節することと、（ｅ）実質的に主要軸に沿って一方の端部から逆側の端部に向かってＴＲＶにより空気を流すことと、により特徴付けられた、新生児を温度調節するための方法が提供される。
【００２８】
本発明の他の目的は、サイズおよび形状により、その長手方向軸に開放ボアを有するＭＲＤへと少なくとも部分的に挿入されるよう、ＡＮＴＩを構成するステップを追加的に含み、さらに、ＭＲＤボアに対して平行にボア内に新生児を収容するよう、ＡＮＴＩを構成するステップを含む、上記のいずれかで定義された方法を開示することである。
【００２９】
本発明では、（ａ）近位端部および逆側の遠位端部を有する主要長手方向軸を有し、これらの端部のうちの少なくとも一方の端部における温度調節通気孔（ＴＲＶ）と、主要長手方向軸に沿った開放ボアを含むＭＲＤと、有する、長尺の能動的温度調節新生児運搬保育器（ＡＮＴＩ）を取得するステップと、（ｂ）新生児を主要長手方向軸に対して平行にＡＮＴＩ内に収容するステップと、（ｃ）ＴＲＶによりＡＮＴＩを温度調節するステップと、（ｄ）ＡＮＴＩをＭＲＤボアへと挿入し、撮像するステップと、を含み、ステップ（ｃ）は、実質的に主要長手方向軸に沿ってＡＮＴＩ端部から逆側の端部に向かってＴＲＶにより空気を流すことを追加的に含み、ステップ（ｄ）は、新生児がＭＲＤ長手方向軸に対して平行となるようＡＮＴＩをＭＲＤボアへと挿入することを追加的に含む、新生児をＭＲＤにより撮像するための方法が提供される。
【００３０】
本発明の他の目的は、その長手方向軸に開放ボアを有するＭＲＤへと少なくとも部分的に挿入されるよう、サイズおよび形状によりＡＮＴＩを構成するステップを追加的に含み、新生児をＭＲＤボアに対して平行にボア内に収容するよう、ＡＮＴＩを構成するステップをさらに含む、上記のいずれかで定義された方法を開示することである。
【００３１】
本発明では、（ａ）近位端部および逆側の遠位端部を有する主要長手方向軸を有する長尺能動的温度調節新生児運搬保育器（ＡＮＴＩ）を取得するステップと、（ｂ）これらの端部のうちの少なくとも一方の端部に温度調節通気孔（ＴＲＶ）を取り付けるステップと、（ｃ）新生児を主要長手方向軸に対して平行にＡＮＴＩ内に収容するステップと、（ｄ）ＴＲＶによりＡＮＴＩを温度調節するステップと、を含み、ステップ（ｄ）は、実質的に主要長手方向軸に沿ってＡＮＴＩ端部から逆側の端部に向かってＴＲＶにより空気を流すことを追加的に含み、さらに、（ａ）ＡＮＴＩ内のノイズレベルが６０デシベルより低いことと、（ｂ）ＡＮＴＩ内のノイズレベルが４５デシベルより低いことと、（ｃ）ＡＮＴＩ内の温度が設定温度から最大で２℃高いかまたは２℃低いことと、（ｄ）ＡＮＴＩ内ＣＯ２濃度が４％を超えないことと、（ｅ）ＡＮＴＩ内のＯ２濃度が３０体積％未満になることがなく、且つ４０体積％を超えないことと、（ｆ）ＡＮＴＩ内のマットレス上方の空気速度が０．３５ｍ／ｓを超えないことと、（ｇ）ＡＮＴＩを使用する場合の新生児の温度調節関連問題の量が新生児の温度調節関連問題の平均値の１／ｂであり、ｂは１．０５以上であることと、（ｈ）ＭＲＩの際にＡＮＴＩを利用する場合の患者のノイズ由来ストレスに起因する唾液コルチゾル・レベル指数の平均値がＭＲＩの際の平均値の１／ｎであり、ｎは１．０５以上であることと、（ｉ）ＡＮＴＩを利用する場合の患者あたりのＭＲＩ反復回数の平均値が患者のＭＲＩの際のＭＲＩ反復回数の平均値の１／ｐであり、ｐは１．０５以上であることと、（ｊ）ＭＲＩの際にＡＮＴＩを利用する場合の患者の開放空間関連ストレスに起因する唾液コルチゾル・レベル指数の平均値がＭＲＩの際の平均値の１／ｑであり、ｑは１．０５以上であることと、（ｋ）ＡＮＴＩの内部体積に堆積される２００ｍｌまでの漏出の発生において、ＡＮＴＩは安全に使用され続けることと、（ｌ）通常使用時に１０°傾斜されたとき、および運搬時に２０°傾斜されたとき、ＡＮＴＩは安定性を保つことと、（ｍ）ＡＮＴＩは、１００Ｎ以下の力と遭遇したとき、転倒しないことと、（ｎ）ＡＮＴＩを利用する場合の患者ＭＲＩ関連落下事象の平均回数が患者ＭＲＩ関連落下事象の平均の１／ｒであり、ｒは１．０５以上であることと、（ｏ）電気機器システムを含むＡＮＴＩの内部体積における放射電磁場がＥＭＣ（電磁適合性）に対する副通則の周波数範囲に対して３Ｖ／ｍまでのレベルであり、さらに、電気機器は、ＥＭＣに対する副通則の周波数範囲に対して１０Ｖ／ｍまでのレベルにおいて、製造者により指定された意図される機能を発揮するか、または安全性危害をもたらすことなく機能停止することと、（ｐ）ＡＮＴＩを利用する場合の、製造者、取扱者、ユーザ、操作員、医療介護関係者、医療施設、医療施設経営者、またはこれらのあらゆる組み合わせからなる群より選択される当事者からの保険請求の平均数が患者ＭＲＩ関連保険請求の１／ｖであり、ｖは１．０５以上であることと、のうちの少なくとも１つが真に保たれる、新生児を温度調節するための看護の基準が提供される。
【００３２】
本発明では、（ａ）新生児を収容するためのフードと、（ｂ）その上にフードが取り付けられ、且つそこを通って温度調節された空気がフードに流れる、基部と、（ｃ）温度調節された空気を基部へ流すよう適応された少なくとも１つの温度調節通気孔（ＴＲＶ）と、を含み、ＴＲＶは基部およびフードの外部の位置に配置されている、温度調節保育器（ＴＲＩ）が提供される。
【００３３】
本発明の他の目的は、カート、支持棒、およびこれらのあらゆる組み合わせからなる群より選択される要素を追加的に含む、上記のいずれかで定義されたＴＲＩを開示することである。
【００３４】
本発明の他の目的は、ＴＲＶは、カート、支持棒、保育器の上部壁部、保育器の側面壁部、およびこれらのあらゆる組み合わせからなる群より選択される場所に配置されている、上記のいずれかで定義されたＴＲＩを開示することである。
【００３５】
本発明の他の目的は、ＴＲＶは、空気を導入するための少なくとも１つの開口部と、少なくとも１つの通気モジュールと、少なくとも１つの加熱／冷却システムと、を含む、上記のいずれかで定義されたＴＲＩを開示することである。
【００３６】
本発明の他の目的は、ＴＲＶは、少なくとも１つの加湿器、少なくとも１つのフィルタ、少なくとも１つの乱流手段、および、これらのあらゆる組み合わせ、からなる群より選択される物品を追加的に含む、上記のいずれかで定義されたＴＲＩを開示することである。
【００３７】
本発明の他の目的は、フード内、基部内、およびこれらのあらゆる組み合わせ、からなる群より選択される位置に配置された少なくとも１つの温度センサを追加的に含む、上記のいずれかで定義されたＴＲＩを開示することである。
【００３８】
本発明の他の目的は、フードは新生児を挿入するための少なくとも１つの開口部を含む、上記のいずれかで定義されたＴＲＩを開示することである。
【００３９】
本発明の他の目的は、フードは、上部壁部、底部壁部、側面壁部、およびこれらのあらゆる組み合わせ、からなる群より選択されるフードの壁部の少なくとも１つの第１部分を通して基部に取り付けられている、上記のいずれかで定義されたＴＲＩを開示することである。
【００４０】
本発明の他の目的は、少なくとも１つの第１部分は穿孔されており、したがって温度調節された空気が基部の内部からフードへ流れることが可能である、上記のいずれかで定義されたＴＲＩを開示することである。
【００４１】
本発明の他の目的は、上部壁部、底部壁部、側面壁部、およびこれらのあらゆる組み合わせ、からなる群より選択されたフードの壁部の少なくとも１つの第２部分は、穿孔されており、したがってフード内から当該環境へと空気が流れることが可能である、上記のいずれかで定義されたＴＲＩを開示することである。
【００４２】
本発明の他の目的は、ＴＲＶを基部に空気連通させるための少なくとも１つの第１導管を追加的に含む、上記のいずれかで定義されたＴＲＩを開示することである。
【００４３】
本発明の他の目的は、基部をフードに空気連通させるための少なくとも１つの第２導管を追加的に含む、上記のいずれかで定義されたＴＲＩを開示することである。
【００４４】
本発明では、（ａ）フードと、フードがその上に取り付けられている基部と、を含む保育器を提供するステップと、（ｂ）少なくとも１つの温度調節通気孔（ＴＲＶ）と、基部と、を空気連通させるステップと、（ｃ）温度調節された空気をＴＲＶから基部を介してフードに向かって流しつつ、ＴＲＶによりフード内の空気を温度調節するステップと、を含み、ＴＲＶを、フードおよび基部に対する外部の位置に配置するステップを追加的に含む、保育器のフードを温度調節するための方法が提供される。
【００４５】
本発明の他の目的は、カート、支持棒、およびこれらのあらゆる組み合わせ、からなる群より選択される要素に対して保育器を取り付けるステップを追加的に含む、上記のいずれかで定義された方法を開示することである。
【００４６】
本発明の他の目的は、ＴＲＶを、カート、支持棒、保育器の上部壁部、保育器の側面壁部、およびこれらのあらゆる組み合わせからなる群より選択される場所に配置するステップを追加的に含む、上記のいずれかで定義された方法を開示することである。
【００４７】
本発明の他の目的は、（ａ）少なくとも１つの開口部を通してＴＲＶに空気を導入するステップと、（ｂ）空気を少なくとも１つの通気モジュールに通過させるステップと、（ｃ）少なくとも１つの加熱／冷却システムを通して空気を温度調節するステップと、を追加的に含む、上記のいずれかで定義された方法を開示することである。
【００４８】
本発明の他の目的は、空気を加湿するステップを追加的に含む、上記のいずれかで定義された方法を開示することである。
【００４９】
本発明の他の目的は、空気を濾過するステップを追加的に含む、上記のいずれかで定義された方法を開示することである。
【００５０】
本発明の他の目的は、空気を乱流化するステップを追加的に含む、上記のいずれかで定義された方法を開示することである。
【００５１】
本発明の他の目的は、フード内、基部内、およびこれらのあらゆる組み合わせ、からなる群より選択される位置に少なくとも１つの温度センサを取り付けるステップを追加的に含む、上記のいずれかで定義された方法を開示することである。
【００５２】
本発明の他の目的は、新生児をフードにおける少なくとも１つの開口部を通して挿入するステップを追加的に含む、上記のいずれかで定義された方法を開示することである。
【００５３】
本発明の他の目的は、基部を、上部壁部、底部壁部、側面壁部、およびこれらのあらゆる組み合わせ、からなる群より選択されるフードの壁部の少なくとも１つの第１部分に取り付けるステップを追加的に含む、上記のいずれかで定義された方法を開示することである。
【００５４】
本発明の他の目的は、少なくとも１つの第１部分を穿孔し、それにより温度調節された空気が基部の内部からフードへ流れることを可能にするステップを追加的に含む、上記のいずれかで定義された方法を開示することである。
【００５５】
本発明の他の目的は、上部壁部、底部壁部、側面壁部、およびこれらのあらゆる組み合わせ、からなる群より選択されるフードの壁部の少なくとも１つの第２部分を穿孔し、それによりフード内から当該環境へと空気が流れることを可能にするステップを追加的に含む、上記のいずれかで定義された方法を開示することである。
【００５６】
本発明の他の目的は、少なくとも１つの第１導管によりＴＲＶを基部に空気連通させるステップを追加的に含む、上記のいずれかで定義された方法を開示することである。
【００５７】
本発明の他の目的は、少なくとも１つの第２導管により基部をフードに空気連通させるステップを追加的に含む、上記のいずれかで定義された方法を開示することである。
【００５８】
好適な実施形態に関する以下の詳細な説明では、本発明の一部を形成する添付の図面が参照される。これらの図面では、本発明が実施され得る特定的な実施形態が例示として示される。他の実施形態も利用され得ること、および構造的変更が本発明の範囲から逸脱することなく可能であることが理解されるであろう。本発明は、これらの特定的な詳細のうちの一部または全部なしに、請求項にしたがって実施され得る。明瞭化のために、本発明に関連する技術分野において周知の技術的材料については、本発明が不必要に不明瞭化されてしまうことを避けるために、詳細な説明は加えていない。以下の添付の図面では、本発明を理解するために、および、本発明が実際にいかにして実施され得るかを見るために、いくつかの好適な実施形態について、以下の添付の図面を参照してここで説明する。
【図面の簡単な説明】
【００５９】
【図１ａ】ＴＲＶをその底部に有する能動的新生児運搬保育器（ＡＮＴＩ）の先行技術に係る事例を縮尺が一定ではない様式で示す図である。
【図１ｂ】ＴＲＶがＡＮＴＩの近位端に配置されている本発明の一実施形態を、縮尺が一定ではない様式で示す図である。
【図２ａ】能動的温度調節新生児運搬保育器（ＡＮＴＩ）（１００）の部分的透視側面図を、縮尺が一定ではない様式で示す図である。
【図２ｂ】能動的温度調節新生児運搬保育器（ＡＮＴＩ）（１００）の部分的透視側面図を、縮尺が一定ではない様式で示す図である。
【図２ｃ】追加的な通気モジュールを含む、本発明のさらに他の実施形態に係る能動的温度調節新生児運搬保育器（ＡＮＴＩ）（１１０）の部分的透視側面図を、縮尺が一定ではない様式で示す図である。
【図２ｄ】保育器内からのリサイクルされた空気および周囲からの新鮮な空気の保育器内への流れを、調節器を含むチューブが制御する、ＡＮＴＩの側面図を、縮尺が一定ではない様式で示す図である。
【図２ｅ】異なる温度においてＡＮＴＩに流れ込むリサイクルされた空気のパーセンテージの変化を、縮尺が一定ではない様式で示す図である。
【図２ｆ】少なくとも１つのバッフルを含むＡＮＴＩ１２０の部分的透視側面図を、縮尺が一定ではない様式で示す図である。
【図２ｇ】空気乱流化手段を含む本発明のさらに他の実施形態に係るＡＮＴＩ（１３０）の部分的透視側面図を、縮尺が一定ではない様式で示す図である。
【図２ｈ】少なくとも１つのオリフィスを含む本発明のさらに他の実施形態に係るＡＮＴＩ（１３０）の部分的透視側面図を、縮尺が一定ではない様式で示す図である。
【図２ｉ】バッフルとＡＮＴＩの上方部分との間のアパーチャ、および容器の下方部分におけるオリフィスを通る線形空気流の部分的透視側面図を、縮尺が一定ではない様式で示す図である。
【図２ｊ】バッフルとＡＮＴＩの上方部分との間のアパーチャ、および容器の下方部分におけるオリフィスを通る線形空気流の正面図を、縮尺が一定ではない様式で示す図である。
【図２ｋ】バッフルとＡＮＴＩの上方部分との間のアパーチャ、およびバッフルと容器の下方部分との間のアパーチャと、容器の下方部分および上方部分に配置された２つのオリフィスと、を通る、線形空気流の部分的透視側面図を、縮尺が一定ではない様式で示す図である。
【図２ｌ】バッフルとＡＮＴＩの上方部分との間のアパーチャ、およびバッフルと容器の下方部分との間のアパーチャと、容器の下方部分および上方部分に配置された２つのオリフィスと、を通る、線形空気流の正面図を、縮尺が一定ではない様式で示す図である。
【図２ｍ】バッフルとＡＮＴＩの上方部分との間のアパーチャ、バッフルと容器の下方部分との間のアパーチャ、および容器の下方部分または上方部分に配置された１つのオリフィスを通る乱流の部分的透視側面図を、縮尺が一定ではない様式で示す図である。
【図２ｎ】バッフルとＡＮＴＩの上方部分との間のアパーチャ、バッフルと容器の下方部分との間のアパーチャ、および容器の下方部分または上方部分に配置された１つのオリフィスを通る乱流の正面図を、縮尺が一定ではない様式で示す図である。
【図２ｏ】線形流および乱流を利用して温度を変化させるための時間的差異（ΔＴ）を、縮尺が一定ではない様式で示す図である。
【図２ｐ】ＭＲＩボア内に収容されたＡＮＴＩを、縮尺が一定ではない様式で示す図である。
【図３】二重ジャケット壁（２００）を含むＡＮＴＩの部分的透視側面図を、縮尺が一定ではない様式で示す図である。
【図４ａ】幅（ｗ）が、流入空気および流出空気（２０２Ｂおよび２０２Ａ）を提供する導管（２５３）に沿って等しい、上方（乳児の天井側）の壁部の二重ジャケット（２５０および２５１）の一部の断面を概略的に示す図である。
【図４ｂ】幅が、初期幅（ｗ）が狭く次に幅が（Ｗ）に増加する様式で変動する、ＡＮＴＩの上方（乳児の天井側）の壁部の二重ジャケット（２５０および２５１）の一部の断面を、非限定的且つ一定の縮尺から外れた様式で概略的に示す図である。
【図４ｃ】ここで再び温度調節された空気流（１０８）が保育器（１０１）の近位側から導管（２５３）を介して流され、幅が、初期幅（Ｗ）が導管に沿って幅ｗへと減少する様式で、変動する、ＡＮＴＩの上方（乳児の天井側）の壁部の二重ジャケット（２５０および２５１）の一部の断面を、非限定的且つ一定の縮尺から外れた様式で概略的に示す図である。
【図５Ａ】新生児を収容するための能動的に通気および／または温度調節された運搬可能保育器の背面図を概略的に示す図である。
【図５Ｂ】新生児を収容するための能動的に通気および／または温度調節された運搬可能保育器の側面図を概略的に示す図である。
【図６】複数の通気孔を含むＴＲＶを含む新生児を収容するためのＡＮＴＩの透視図を概略的に示す図である。
【図７】ＴＲＶの一実施形態の側面図を概略的に示す図である。
【図８】側面流路を含むＴＲＶにより通気および／または温度調節された、新生児を収容するためのＡＮＴＩの透視図を概略的に示す図である。
【図９】本発明の一実施形態に係るＭＴＩ（１４００）を、非限定的且つ一定の縮尺から外れた様式で概略的に示す図である。
【図１０】本発明の一実施形態に係るＭＴＩ（１５００）を、非限定的且つ一定の縮尺から外れた様式で概略的に示す図である。
【図１１Ａ】ＴＲＶが保育器のカート（１００）上に配置された本発明の一実施形態を、縮尺が一定ではない様式で示す図である。
【図１１Ｂ】ＴＲＶが保育器の支持体（１００）上に配置された本発明の一実施形態を、縮尺が一定ではない様式で示す図である。
【図１１Ｃ】ＴＲＶが保育器の側面壁部（１００）上に配置された本発明の一実施形態を、縮尺が一定ではない様式で示す図である。
【図１１Ｄ】ＴＲＶが保育器の上部壁部（１００）上に配置された本発明の一実施形態を、縮尺が一定ではない様式で示す図である。
【図１１Ｅ】保育器（１０２）の一実施形態の正面断面を、一定の縮尺から外れた様式で示す図である。
【図１１Ｆ】新生児（１）の保育器の側面図を、一定の縮尺から外れた様式で示す図である。
【図１１Ｇ】新生児（１）の保育器の側面図を、一定の縮尺から外れた様式で示す図である。
【図１２】保育器（２００）を温度調節するための方法の概略的フローチャートを示す図である。
【発明を実施するための形態】
【００６０】
好適な実施形態に関する以下の詳細な説明では、本発明の一部を形成する添付の図面が参照される。これらの図面では、本発明が実施され得る特定的な実施形態が例示として示される。他の実施形態も利用され得ること、および構造的変更が本発明の範囲から逸脱することなく可能であることが理解されるであろう。本発明は、これらの特定的な詳細のうちの一部または全部なしに、請求項にしたがって実施され得る。明瞭化のために、本発明に関連する技術分野において周知の技術的材料については、本発明が不必要に不明瞭化されてしまうことを避けるために、詳細な説明は加えていない。
【００６１】
本発明の本質は温度調節新生児運搬保育器を提供することである。温度調節は、温度調節機構（例えば保育器の長尺容器の端部に配置された温度調節通気孔（ＴＲＶ）など）により実行される。ＴＲＶは温度調節された空気を容器の長手方向軸に平行な静粛で穏やかな流れで容器に導入する。
【００６２】
本発明はＭＲＩ安全性を有する能動的新生児運搬保育器（ＡＮＴＩ）に関する。
【００６３】
本発明は、追加的に、保育器の外部およびその基部に配置された温度調節通気孔を有する保育器に関する。
【００６４】
「新生児収容手段」という用語は、これ以後、保育器内においてその長手方向軸に対して平行な姿勢に新生児を保持するために有用であるあらゆる手段を指す。この姿勢は、実質的に水平な姿勢（仰向け、うつぶせ、または横向き）で横臥した状態、少なくとも部分的にもたれかかった状態、または少なくとも部分的に着座した姿勢、であり得る。
【００６５】
「温度調節環境」または「温度調節新生児環境」という用語は、これ以後、その空気温度が、誤差を±２℃として、事前決定された定常温度である環境を指す。
【００６６】
「〜に沿って」という用語は、これ以降、平行流、コイル状の回転流、またはこれらのあらゆる組み合わせを指す。
【００６７】
「通気モジュール」という用語は、これ以後、空気を循環させ、循環空気を、均等に、または定められた方向に、分配するモジュールを指す。さらに詳細には、この用語は、ファン、ジェット、送風機、圧縮器、ポンプ、エア・ストリーマ、プロペラ、通風器、室内冷却器（ｔｈｅｒｍａｎｔｉｄｏｔｅ）、軸流ファン、遠心ファン、横流ファン、コアンダ効果を使用して生成された空気流、その他を指す。
【００６８】
「温度調節通気孔（ＴＲＶ）」という用語は、これ以後、空気の温度を調節し、空気をその到達地点へと流すシステムを指す。ＴＲＶは加熱／冷却システムおよび通気モジュールを含む。ＴＲＶは、空気乱流化手段、加湿器、およびフィルタも含み得る。
【００６９】
「加熱／冷却モジュール」という用語は、これ以後、加熱により、冷却により、またはその両方により、温度を制御するモジュールを指す。さらに詳細には、この用語は、空調システム、赤外線加熱器、水／油加熱放熱器、コイル加熱器、開放コイル空気加熱器（ｏｐｅｎ  ｃｏｉｌ  ａｉｒ  ｈｅａｔｅｒ）、丸い開放コイル空気加熱器（ｒｏｕｎｄ  ｏｐｅｎ  ｃｏｉｌ  ａｉｒ  ｈｅａｔｅｒ）、対流加熱器、直線型または形成されたチューブ式加熱器、クオーツ・チューブ空気加熱器（ｑｕａｒｔｚ  ｔｕｂｅ  ａｉｒ  ｈｅａｔｅｒ）、キャパシタ型加熱器、ペルティエ・モジュール、その他に関する。
【００７０】
「バッフル」という用語は、これ以後、低誘導的または妨害的な羽根またはパネルを指す。さらに詳細には、この用語は、長手方向流バッフル、インピンジメント・バッフル、オリフィス・バッフル、単一分節バッフル（ｓｉｎｇｌｅ  ｓｅｇｍｅｎｔａｌ  ｂａｆｆｌｅ）、二重分節バッフル、その他に関する。
【００７１】
「乱流」という用語は、これ以後、ランダムに変動する局所的な速度および圧力を有する流体の動きを指す。流体（例えば、液体、気体）の動きは、全体的な流れが１つの方向にある一方で、不規則なパターンで動く乱流を示す部分流を有することにより、特徴付けられる。乱流においては、１つの地点における流体の速さが、強度および方向の両方において常に変動する。
【００７２】
「線形流」という用語は、これ以後、流体が滑らかな経路または層において動く層流における、液体または気体（例えば空気）の層流を指す。乱流が示されない流れは、層流と呼ばれる。
【００７３】
「空気乱流化手段」という用語は、これ以後、空気流を制御、軟化、減速、緩和するための、あらゆる手段を指す。さらに詳細には、この用語は、能動的部材（例えばファン、複数ファンの構成もしくは複数ファンのカスケード、空気ポンプ、ダイソン型の羽根のないエアマルチプライア、通気装置、その他など）および／または受動的部材（例えば特定的なテクスチャが施されたストレーナ、連続的な障壁内の湾曲した導管、その他など）に関する。
【００７４】
「空気加湿手段」という用語は、これ以後、空気の湿度（湿気）を増加させるあらゆる器具を指す。
【００７５】
「ベンチュリ効果」という用語は、これ以後、流体がパイプの絞られた区域を通過するときに生じる流体または気体の圧力の低下を指す。流体または気体の速度は、断面積が小さくなるにしたがって、静圧が対応して減少する状態で、大きくなる。
【００７６】
「空気連通」という用語は、これ以後、２つの物体間で少なくとも１つの方向における空気の流れを可能にする２つの物体間での連通を指す。
【００７７】
「流体連通」という用語は、これ以後、２つの物体間で少なくとも１つの方向における物質（気体、流体、または固体）の流れを可能にする２つの物体間での連通を指し、この用語は、あらゆる形態の空気連通を含む。
【００７８】
「近位側」という用語は、これ以後、ＴＲＶが埋め込まれている長手方向軸の側を指す。
【００７９】
「遠位側」という用語は、これ以後、ＴＲＶが埋め込まれている近位側の逆側となる長手方向軸の側を指す。
【００８０】
「音響遮蔽」という用語は、これ以後、新生児に到達する音響を低下させるよう構成された、あらゆる単数または複数の障壁、または音響反射パネル、スクリーン、バッフルを指す。
【００８１】
本発明の他の実施形態では、ＡＮＴＩは、保育器外部の音響から新生児を少なくとも部分的に遮断するよう構成された少なくとも１つの音響遮蔽をさらに含む。
【００８２】
「新生児」という用語は、これ以後、新生児、嬰児、赤ちゃん、乳児、幼児、小人、青年、成人、老人、患者、個人、被術者、入院者、病人、外来患者、症例、相談者、その他からなる群より選択された用語を交換可能に指し、さらにこの用語は、ヒト、動物、または試料を、それらの全体または部分として、指す。
【００８３】
「透明物質」という用語は、これ以後、ポリメチルメタクリレート、熱可塑性ポリウレタン、ポリエチレン、ポリエチレンテレフタレート、イソフタル酸で修飾されたポリエチレンテレフタレート、グリコールで修飾されたポリエチレンテレフタレート、ポリプロピレン、ポリスチレン、アクリル樹脂、ポリアセテート、セルロースアセテート、ポリカーボネート、ナイロン、ガラス、ポリ塩化ビニル、その他などの物質を交換可能に指す。さらにいくつかの実施形態では、この物質の少なくとも一部が、強度および／または金属ワイヤなどの伝導性のために、非透明物質とともに埋め込まれる。
【００８４】
「センサ」という用語は、これ以後、信号または刺激（熱、圧力、光、運動、音響、湿度、その他）を受け取り、それに対して特異的な様式で応答するあらゆる装置を指す。係る様式は、他の装置の活動／不活動を誘発すること、表示器（視覚的、聴覚的、または知覚的）の活動／不活動を誘発すること、センサにより受け取られた入力の表示を誘発すること、中央処理装置において入力のデータ格納／解析を誘発すること、などであり得る。
【００８５】
「生命維持機材」という用語は、これ以後、新生児の生命の維持を支援する、および／または身体的および生理学的な快適性を改善する、環境状態、医療状態、または環境状態もしくは医療状態の監視を提供するあらゆる要素を交換可能に指す。この要素は、（ａ）あらゆる医療機材（患者に関連する医療者により使用される、すべての装置、チューブ、コネクタ、ワイヤ、液体担持器、針、センサ、モニタ、その他。この機材は、ビリルビン光、ＩＶ（静脈内）ポンプ、頭部フードまたは鼻カニューレによる酸素補給システム、持続的陽圧呼吸システム（ｐｏｓｉｔｉｖｅ  ａｉｒｗａｙ  ｐｒｅｓｓｕｒｅ  ｓｙｓｔｅｍ）、供給チューブ、臍動脈カテーテル、流体輸送装置、血液濾過システム、血液透析システム、ＭＲＩ造影溶液注入、新生児の撮影などである）と、（ｂ）ＥＣＧ（心電図）モニタ、血圧モニタ、心拍呼吸モニタ、パルスオキシメータなどの、体温、呼吸、心臓機能、酸素化、脳活動の医療測定および観察装置（センサおよび／またはモニタを含む）と、（ｃ）通風器、空調装置、加湿器、温度調節器、天候制御システム（ｃｌｉｍａｔｅ  ｃｏｎｔｒｏｌ  ｓｙｓｔｅｍ）、ノイズ防止装置、振動防止装置、その他などの環境制御システムと、これらの任意の組み合わせと、であり得る。
【００８６】
「医療器具チューブ」という用語は、これ以後、生命維持機材、医療機材、または身体環境の維持もしくは監視に関連して使用される、すべてのチューブ、ケーブル、コネクタ、ワイヤ、液体担持器、ガス担持器、電気ワイヤ、監視ケーブル、閲覧ケーブル、データ・ケーブル、その他を交換可能に指す。
【００８７】
「ＣＰＵ」、中央処理装置という用語は、これ以後、システムの基本的な算術、論理、および入力／出力の演算を実行することによりコンピュータ・プログラムの命令を実行するコンピュータ内のハードウェアを指す。本発明の実施形態では、ＣＰＵは、ユーザ・インターフェース、少なくとも１つのセンサ、少なくとも１つの表示器、少なくとも１つの通気モジュール、少なくとも１つの温度調節通気孔、少なくとも１つの空気フィルタ、少なくとも１つの音響フィルタ、少なくとも１つの加湿器、少なくとも１つの空気循環機構、生命維持機材、コントロールパネル、監視装置、閲覧または動画撮影装置、その他、電力を通気孔、バッフル、リクライニング可能な新生児抑制手段、保育器の少なくとも１つの開口部の密閉、その他などの動きに変換するよう構成された少なくとも１つのエンジンに接続され得、このようにして、本発明の様々な側面に関するユーザの監視および／または制御が提供され得る。
【００８８】
「磁気共鳴映像装置」（ＭＲＤ）という用語は、これ以後、あらゆる磁気共鳴映像（ＭＲＩ）装置、あらゆる核磁気共鳴（ＮＭＲ）スペクトロスコープ、あらゆる電子スピン共鳴（ＥＳＲ）スペクトロスコープ、あらゆる核四重極共鳴（ＮＱＲ）、あらゆるレーザー磁気共鳴装置、あらゆる量子回転磁場共鳴装置（サイクロトロン）、およびこれらの任意の組み合わせに、特に適用される。本発明では、この用語は、コンピュータ断層撮影（ＣＴ）、超音波（ＵＳ）、その他などの関心体積を含む他のあらゆる解析および撮像機材にも適用される。ここで開示されるＭＲＤは所望により、ＡＳＰＥＣＴ−ＭＲ社から市販される装置などのポータブル型ＭＲＩ装置、または市販の非ポータブル型装置である。追加的または代替的に、ＭＲＤは、「ＳＥＬＦ−ＦＡＳＴＥＮＩＮＧ  ＣＡＧＥ  ＳＵＲＲＯＵＮＤＩＮＧ  Ａ  ＭＡＧＮＥＴＩＣ  ＲＥＳＯＮＡＮＣＥ  ＤＥＶＩＣＥ  ＡＮＤ  ＭＥＴＨＯＤＳ  ＴＨＥＲＥＯＦ」を発明の名称とする２００８年５月２７日に出願された米国特許第７７１９２７９（Ｂ２）号に説明されている磁気共鳴装置を包囲する自己締め付けケージである。同特許の全体は参照することにより本明細書に援用される。
【００８９】
「ＭＲＩ安全性」という用語はここでは、ＭＲ環境で使用されたときに患者に対して追加的な危険を提示せず、診断情報の品質に対して顕著な影響を及ぼさない、あらゆる物質を交換可能に指す。この物質は、完全に非磁性、非導電性、および非ＲＦ反応性であり、ＭＲＩ処置の実行中にあらゆる主要な潜在的脅威を排除する。
【００９０】
「音響減衰手段」という用語はここでは、全般的な音響または特定的な音響の減衰または遮断を行うよう構成されたあらゆる手段を交換可能に指し、以下で説明する受動的音響減衰器と、能動的音響制御装置と、ハイブリッド音響減数システムと、を含む。
【００９１】
−受動的音響減衰器（例えば特定的な周波数に対して設計された共振器、音響吸収材料、およびライニングなど）。ＡＮＴＩおよび／またはＴＲＶに組み込まれて使用され、音が媒体を通過する際に音響エネルギーの少なくとも一部を媒体自体内で消散させる、受動的音響吸収材料は、例えば、一般にマット状に加工された繊維または紡糸繊維から形成される多孔性材料と、空気間隙上に取り付けられた不透過性表面を有するパネル（膜）吸収材と、取り込まれた空気の包囲された体積に接続された穴またはスロットにより作られた共振器と、などであり得る。一般的な多孔性吸収材は、空気が細胞構造に流れ入ることを可能にし、細胞構造内で音響エネルギーが熱に変換される。これは、布またはカーペット、スプレーされたセルロース、空気を含む石膏、繊維性ミネラルウール、およびガラス繊維の厚い層、開放細胞発泡製品、およびフェルト製またはキャストされた多孔性天井タイルを含み得る。厚さは多孔性物質による音響吸収において重要な役割を果たす。
【００９２】
他の吸収材はパネル吸収材である。通常、パネル吸収材は、近傍の空気分子により作用される音圧に応答して屈曲モードで振動する、空気間隙上に配置された非剛性・非多孔性物質、例えば音響に応答して共振する能力を有する、フレーム上の薄い木材パネル、軽量の不透過性天井、およびフロア、表面、および大きい表面、である。
【００９３】
「共振器」という用語はここでは、狭い周波数範囲の音響を吸収するよう構成された構造を交換可能に指す。共振器は、いくつかの穿孔された材料、および開口部（穴およびスロット）を有する材料を含む。例えば、瓶の形状を有するヘルムホルツ共振器が例として挙げられる。共振周波数は、開口部のサイズ、ネック部の長さ、およびチャンバ内に捕捉された空気の体積により支配される。通常、穿孔された材料は、表面が可能な限り音響的に透過的となるよう設計する点において特別の配慮がなされないかぎり、中間周波数範囲のみを吸収する。
【００９４】
−能動的音響制御装置（アクチュエータ・スピーカなどの第２ノイズ音源を使用して相殺的干渉を作り出す）。いくつかの能動的音響制御装置は、様々な場所に配置された音響センサから受け取られた情報を利用する能動的フィードバック機構を使用し、受け取られた特定的な周波数および音響レベルに応答する。能動的音響制御システムは、生成された音響周波数が計算され得る通気孔を有するシステムにおいて効果的に用いられ得る。
【００９５】
−ハイブリッド音響減数システム（例えば調整可能なヘルムホルツ共振器など。音響低減化を達成するために能動的要素および受動的要素の両方と、動作周波数のバンドに対して最適なノイズ減衰を達成するためにパラメータの変更が可能である受動的装置を使用する適応受動的システムと、を用いる。）
【００９６】
磁気共鳴装置に対する「患者台」という用語はここでは、カウンター上面、棚、担架、ベッド、架台、拘束具、リクライニング台、椅子、または撮像を行う際に患者を配置するために設計された任意の対象物などを交換可能に指す。磁気共鳴装置では、患者ベッドの位置は、磁石により生成される磁界に対して最適な位置に配置されるよう、細心の注意を持って決定される。
【００９７】
「空気フィルタ」という用語はここでは、固体粒子を空気から取り除くよう構成されたあらゆる装置を交換可能に指す。通常は、フィルタは、空気からダスト、花粉、糸状菌、バクテリアなどの繊維性物質、過剰な湿度、煙粒子、アレルゲン、ペットの鱗屑、カビ胞子、チリダニの糞、バクテリア、ウイルス、バクテリアに由来するあらゆる分子、ウイルス原虫、動物、あらゆる所定の空中浮遊分子汚染物（例えば揮発性有機化合物またはオゾンなど）、およびこれらのあらゆる組み合わせを、取り除く。フィルタは、例えば、化学フィルタ、空気イオナイザ、油浴フィルタ（ｏｉｌ  ｂａｔｈ  ｆｉｌｔｅｒ）、空気清浄器、ヘパフィルタ、その他などが挙げられる。フィルタは、例えば、電流を流すこと、または静的な熱力学的殺菌システム、紫外線殺菌照射、活性炭素、光触媒酸化静電気沈殿槽、二酸化チタン（ＴｉＯ２）技術、その他などの、当該技術分野で周知の空気浄化機構をさらに用い得る。
【００９８】
「緊急シャットダウン機構」という用語はここでは、ＴＲＶ、通風器モジュール、加熱／冷却モジュール、空気リサイクル・システム、能動的音響減衰手段、能動的空気フィルタ（例えばイオナイザ、熱力学的フィルタ、静電気フィルタ、ＵＶ生成フィルタ、その他のフィルタなど）、フィードバック機構、ＣＰＵ、空気乱流機構、のうちの少なくとも１つの動作を即時停止させるよう構成されたあらゆる機構を交換可能に指す。通常、緊急シャットダウンは、ユーザの単一ステップ（例えば、レバーまたはボタンを押す／引くこと）により実行される。さらに、緊急シャットダウンはＡＮＴＩの開放を含み得る。
【００９９】
保育器に関する「基部」という用語は、これ以後、フードを支持する保育器の基盤を指す。基部は、その上方壁部、底部壁部、または側面壁部のうちのいずれかを通してフードに取り付けられる。基部は、壁部の一部のみに取り付けられ得る。基部は、ＴＲＶからフードの内部への温度調節された空気の転送も行うものである。
【０１００】
「カート」という用語は、これ以後、カートを輸送するために使用されるあらゆる装置を指す。カートは、手動により、自動的に、またはその両方により、押すかまたは引かれる、あらゆる輸送装置またはあらゆる小さい車両を含む。さらに詳細には、この用語は、機動性提供要素（例えば１つまたは複数の車輪、ローラー、摺動ブレード、回転ベルト、その他など）を有する、保育器を保持することができる構造体に関する。例として、トローリー、手車、手押し車、電動カート、ワゴン、一輪車、人力車、リュック、ワゴン、一輪車、バギー、ドリー、キャリッジ、フロート、キャブ、荷車、ギグ、ガーニー、手車、かご、手押し車、運搬車、一輪手車、二頭立て二輪馬車、その他が、挙げられる。
【０１０１】
「保育器」という用語は、これ以後、病気の、または早産の、新生児の保育に特化された特殊ユニットを交換可能に指す。保育器は、静止型保育器、可動型保育器、輸送用保育器、使い捨て型保育器、ヘルスケア施設用保育器、ポータブル型保育器、集中治療用保育器、家庭使用のための保育器、新生児を撮像するための保育器、治療用保育器、モジュラ型保育器、隔離用保育器、および以上の任意の組み合わせを含む。新生児保育器はボックス形状のエンクロージャであり、その内側に、乳児が、観察および看護のために制御された環境で保たれ得る。保育器は通常、収容された新生児に対する観察手段と、生命維持機材および取扱者の手を通すための開口部と、を含む。保育器内に形成される少なくとも部分的に包囲された環境は、外部環境条件（例えばノイズ、振動、流動、温度、光、ガス濃度、湿度、微生物、その他など）から少なくとも部分的に隔離されるよう、および／または、医療者により定められた生命維持パラメータに到達するよう、調節される。保育器は、生命維持機材を含むか、または生命維持機材に接続され得る。内側環境は、環境制御システム（例えば温度調節システム、通気システム、加湿システム、照明システム、移動システム、ノイズ低減システム、その他など）により制御され得る。
【０１０２】
「支持棒」または「支持柱」という用語は、これ以後、保育器を支持または保持する棒を指す。支持棒は、保育器に接続された追加的な装置を保持し得る。
【０１０３】
本発明の一実施形態によれば、長尺能動的温度調節新生児運搬保育器（ＡＮＴＩ）は、近位端部および逆側の遠位端部を有する主要長手方向軸を有し、近位端部および遠位端部のうちの少なくとも一方の近傍に温度調節通気孔（ＴＲＶ）を含み、ＴＲＶは、実質的に主要長手方向軸に沿って、空気を一方の端部から他方の端部へと流すよう構成され、さらにＡＮＴＩは、サイズおよび形状により、主要長手方向軸に沿って新生児を収容するよう構成される。
【０１０４】
サイズおよび形状により、その長手方向軸に開放ボアを有するＭＲＤに挿入されるよう構成され、さらにＭＲＤボアに対して平行に新生児を収容するよう構成された、上述のＡＮＴＩを提供することは、依然として本発明の範囲に含まれる。ＡＮＴＩが、ＭＲＤ患者台の近傍に、または均一な磁界を提供する主要磁石の磁気アイソセンタに対して事前定義された位置に、新生児を収容するよう構成されることも、本発明の範囲に含まれる。新生児を既存の磁気共鳴映像装置のアイソセンタに対して可能な限り近位に配置することが好適である。非限定的な事例として、このことは、運搬保育器の底部分を可能な限り薄くして、それにより、新生児から本来設計された患者位置までの距離を可能な限り制限することにより達成される。
【０１０５】
追加的または代替的に、ＡＮＴＩは調整手段を含む。この調整手段は、ＡＮＴＩ内における新生児の位置を操縦し、それにより主要磁界アイソセンタに対して新生児が最適な位置に配置されるよう、構成されたものである。
【０１０６】
追加的または代替的に、ＡＮＴＩは、撮像プロセスを改善するために、追加的なＲＦコイルを新生児に近位に含む。
【０１０７】
本発明の他の実施形態によれば、ＴＲＶが、少なくとも１つの第１通気モジュールと、少なくとも１つの第１加熱／冷却モジュールと、第１通気モジュールまたは第１加熱／冷却モジュールのいずれかの近傍に配置された少なくとも１つのフィルタと、これらのあらゆる組み合わせと、からなる群から選択されたモジュールである、上述のＡＮＴＩが開示される。
【０１０８】
本発明の他の実施形態によれば、ＴＲＶが、加熱空気、冷却空気、室温空気、およびこれらのあらゆる組み合わせからなる群より選択された空気をＡＮＴＩへと導入するよう構成された少なくとも１つの通気モジュールを含む、上述のＡＮＴＩが開示される。追加的または代替的に、ＴＲＶは、外側から空気を流すよう構成された少なくとも１つの第１通気孔と、少なくとも１つの第１通気孔により流された空気から発した空気を流すよう構成された少なくとも１つの第２通気孔と、を含む。
【０１０９】
本発明の他の実施形態によれば、ＴＲＶが、温度、湿度、空中浮遊分子濃度、ガス濃度、およびこれらのあらゆる組み合わせからなる群より選択される空気品質に対するフィードバック機構であって、空気品質を事前決定された値または値範囲に保持するよう構成されたフィードバック機構を含む、上述のＡＮＴＩが開示される。
【０１１０】
本発明の他の実施形態によれば、ＴＲＶが、ロータの軸に対して垂直に回転する少なくとも１つのロータを有するファンであり、さらに、ロータの軸がＡＮＴＩの主要長手方向軸に対して平行に配置されている、上述のＡＮＴＩが開示される。
【０１１１】
本発明の他の実施形態によれば、空気流ストリームを低速化および軽減するための空気乱流化手段（ＡＴＭ）を追加的に含み、ＡＴＭはＴＲＶの近傍に配置されている、上述のＡＮＴＩが開示される。
【０１１２】
追加的または代替的に、ＡＴＭは、ＡＮＴＩの内部体積内の位置、ＡＮＴＩの少なくとも一部に接続された空気配管内の位置、ＴＲＶに接続された位置、およびこれらのあらゆる組み合わせ、からなる群より選択される位置に配置される。
【０１１３】
本発明の他の実施形態によれば、（ａ）ＡＮＴＩが、端部のうちの一方の端部に配置された少なくとも１つの第１ＴＲＶおよび逆側の端部に配置された少なくとも１つの第２ＴＲＶを含むことと、（ｂ）少なくとも１つのＴＲＶがＡＮＴＩ内に配置されることと、（ｃ）少なくとも１つのＴＲＶがＡＮＴＩの外部に配置され、且つ配管によりＡＮＴＩと空気連通することと、（ｄ）少なくとも１つのＴＲＶがＡＮＴＩと空気連通し、且つＡＮＴＩの支持体（１５２０）内に配置されることと、（ｅ）少なくとも１つのＴＲＶがＡＮＴＩと空気連通し、且つ少なくとも１つのＴＲＶがＡＮＴＩの天蓋（１５６０）内に配置されることと、（ｆ）少なくとも１つのＴＲＶがＡＮＴＩと空気連通し、且つ少なくとも１つのＴＲＶがＡＮＴＩのトローリー（１５０１）内に配置されることと、（ｇ）少なくとも１つのＴＲＶがＡＮＴＩと空気連通し、且つ少なくとも１つのＴＲＶがＡＮＴＩから遠隔に配置されることと、のうちの少なくとも１つが真に保たれる、上述のＡＮＴＩが開示される。
【０１１４】
本発明の他の実施形態によれば、ＡＮＴＩが少なくとも１つの空気リサイクル機構（ＡＲＭ）と空気連通し、ＡＲＭが（ａ）ＡＮＴＩの外部環境から空気ストリームを収集するための少なくとも１つの空気流入口と、（ｂ）ＡＮＴＩの内部環境から空気ストリームを収集するための少なくとも１つのリサイクル空気流入口と、（ｃ）ＴＲＶを通してＡＮＴＩの内部環境に向かって空気を導入するための少なくとも１つの空気流出口と、を含む、上述のＡＮＴＩが開示される。
【０１１５】
本発明の他の実施形態によれば、リサイクルされた空気ストリームと、ＡＮＴＩの外部環境からの空気ストリームと、ＡＮＴＩの内部環境に向かって流される空気と、これらのあらゆる組み合わせと、からなる群より選択される少なくとも１つの空気流を調節するための少なくとも１つの空気流調節器を追加的に含む、上述のＡＮＴＩが開示される。
【０１１６】
本発明の他の実施形態によれば、ＡＮＴＩの壁部の近傍に配置された、中央部分および周辺部分を有する主要長手方向軸に対して垂直な断面を有し、ＡＮＴＩは、近位または遠位の一方の端部、逆側の端部、およびこれらのあらゆる組み合わせからなる群より選択される少なくとも１つの位置に配置された少なくとも１つの空気バッフラをさらに含み、少なくとも１つの空気バッフラはＡＮＴＩ内またはＡＮＴＩの中央部分の近傍に配置され、それによりバッフラと壁部との間に、空気が主要長手方向軸に沿って流れるためのアパーチャが提供される、上述のＡＮＴＩが開示される。
【０１１７】
本発明の他の実施形態によれば、ＡＮＴＩ、ＴＲＶ、またはその両方が少なくとも１つの空気フィルタを含む、上述のＡＮＴＩが開示される。
【０１１８】
本発明の他の実施形態によれば、内部に存在する新生児の位置を迂回するように空気流の偏流を誘導するよう、ＡＮＴＩが構成されている、上述のＡＮＴＩが開示される。
【０１１９】
本発明の他の実施形態によれば、ＡＮＴＩが、ＡＮＴＩ内において空気流を誘導するよう構成された少なくとも１つの空気流路を含む、上述のＡＮＴＩが開示される。
【０１２０】
本発明の他の実施形態によれば、ＡＮＴＩが、体積Ｗおよび時間ＹあたりＸの空気流を有するよう構成されている、上述のＡＮＴＩが開示される。
【０１２１】
本発明の他の実施形態によれば、Ｘ、Ｗ、およびＹの空気流パラメータがユーザにより構成可能である、上述のＡＮＴＩが開示される。
【０１２２】
本発明の他の実施形態によれば、Ｘ、Ｗ、およびＹの空気流パラメータが、少なくとも１つのセンサにより受け取られた情報にしたがってＴＲＶを制御するよう構成された少なくとも１つのＣＰＵにより自動的に調整される、上述のＡＮＴＩが開示される。
【０１２３】
本発明の他の実施形態によれば、ＡＮＴＩ、ＴＲＶ、またはその両方が、ＴＲＶおよびＡＮＴＩ内の空気運動の音響を少なくとも部分的に遮断するよう構成された音響減衰手段を含む、上述のＡＮＴＩが開示される。
【０１２４】
本発明の他の実施形態によれば、ＡＮＴＩが、ＭＲＤにより生成された音響を遮断するよう構成された音響減衰手段を含む、上述のＡＮＴＩが開示される。
【０１２５】
本発明の他の実施形態によれば、ＡＮＴＩが、空気流および／または通気孔により生成された周波数を無効化するために音波を反射するよう構成された少なくとも１つの共振器を含む、上述のＡＮＴＩが開示される。
【０１２６】
本発明の他の実施形態によれば、ＡＮＴＩ、ＴＲＶ、またはその両方が、振動を少なくとも部分的に吸収するよう構成された接続を含む、上述のＡＮＴＩが開示される。
【０１２７】
本発明の他の実施形態によれば、ＡＮＴＩが、可撓性振動吸収材料、コネクタ、またはその両方により、ＴＲＶに接続されている、上述のＡＮＴＩが開示される。
【０１２８】
本発明の他の実施形態によれば、ＡＮＴＩ、ＴＲＶ、またはその両方が外部供給される加圧ガスに接続されている、上述のＡＮＴＩが開示される。
【０１２９】
本発明の他の実施形態によれば、ＡＮＴＩの壁部の少なくとも１部分が二重ジャケット壁構成（ＤＪＷ）であり、ＤＪＷは、穿孔された内部壁部と、完全な状態の穿孔されていない外部壁部と、を含み、それによりＤＪＷは、事前定義された幅（ｗ）および長さ（ｌ）を有する導管における主要長手方向軸に沿う空気ストリームを支援する、上述のＡＮＴＩが開示される。
【０１３０】
本発明の他の実施形態によれば、幅（ｗ）および長さ（ｌ）が長手方向軸に沿って等しい、上述のＡＮＴＩが開示される。
【０１３１】
本発明の他の実施形態によれば、幅（ｗ）および長さ（ｌ）が長手方向軸に沿って変化する、上述のＡＮＴＩが開示される。
【０１３２】
本発明の他の実施形態によれば、長手方向軸に沿うＡＮＴＩの少なくとも１部分において、ＡＮＴＩの上方壁部における幅（Ｗ）を、その近位側においてＷ１、遠位側においてＷ２、ＡＮＴＩの下方壁部における幅をその近位側においてＷ３、その遠位側においてＷ４として、（ａ）Ｗ１がＷ２よりも大きく、且つＷ３がＷ４よりも大きいこと、（ｂ）Ｗ１がＷ２よりも大きく、且つＷ３がＷ４よりも小さいこと、（ｃ）Ｗ１がＷ２よりも小さく、且つＷ３がＷ４よりも小さいこと、（ｄ）Ｗ１がＷ２よりも小さく、且つＷ３がＷ４よりも大きいこと、（ｅ）Ｗ１がＷ３よりも大きく、且つＷ２がＷ４よりも大きいこと、（ｆ）Ｗ１がＷ３よりも大きく、且つＷ２がＷ４よりも小さいこと、（ｇ）Ｗ１がＷ３よりも小さく、且つＷ２がＷ４よりも小さいこと、および（ｈ）Ｗ１がＷ３よりも小さく、且つＷ２がＷ４よりも大きいこと、のうちの少なくとも１つが真に保たれる、上述のＡＮＴＩが開示される。
【０１３３】
本発明の他の実施形態によれば、ＡＮＴＩの少なくとも１部分、ＴＲＶ、またはその両方が、ＭＲＩ安全性を有する材料により作られている、上述のＡＮＴＩが開示される。
【０１３４】
本発明の他の実施形態によれば、ＡＮＴＩの少なくとも１部分が、振動吸収性材料、音響吸収性材料、耐液性材料、耐火性材料、リサイクル可能材料、使い捨て可能材料、およびこれらのあらゆる組み合わせからなる群より選択される材料を含む、上述のＡＮＴＩが開示される。
【０１３５】
本発明の他の実施形態によれば、ＡＮＴＩが、温度センサ、運動センサ、呼吸センサ、ガス濃度センサ、空気流センサ、湿度センサ、ドア開閉センサ、重量センサ、ＲＦセンサ、およびこれらのあらゆる組み合わせからなる群より選択される、少なくとも１つのセンサを含む、上述のＡＮＴＩが開示される。
【０１３６】
本発明の他の実施形態によれば、検知された情報をセンサがＣＰＵ、表示器、またはその両方に中継するよう構成されている、上述のＡＮＴＩが開示される。
【０１３７】
本発明の他の実施形態によれば、ＡＮＴＩが中央処理装置（ＣＰＵ）を含む、上述のＡＮＴＩが開示される。
【０１３８】
本発明の他の実施形態によれば、少なくとも１つのセンサから受け取られた信号に応答して通気孔の制御を行うこと、ユーザにより定義された値にしたがって通気孔の制御を行うこと、新生児の事前定義された身体的状況にしたがって通気孔の制御を行うこと、および、これらのあらゆる組み合わせからなる群より選択される通気孔の制御を行うようにＣＰＵが構成されている、上述のＡＮＴＩが開示される。
【０１３９】
本発明の他の実施形態によれば、ＴＲＶが緊急シャットダウン機構を含む、上述のＡＮＴＩが開示される。
【０１４０】
本発明の他の実施形態によれば、ＡＮＴＩが生命維持機材に接続されている、上述のＡＮＴＩが開示される。
【０１４１】
本発明の他の実施形態によれば、ＡＮＴＩが、可逆的に開閉されるよう構成された少なくとも１つのアパーチャを含む、上述のＡＮＴＩが開示される。
【０１４２】
本発明の他の実施形態によれば、ＡＮＴＩが少なくとも１つの支持体により可動式基部に相互接続され、それにより、可動式温度調節運搬保育器（ＭＴＩ）が形成される、上述のＡＮＴＩが開示される。
【０１４３】
本発明の他の実施形態によれば、可動式基部および少なくとも１つの支持体がＭＲＩ安全性を有する材料から作られている、上述のＡＮＴＩが開示される。
【０１４４】
本発明の他の実施形態によれば、ＭＴＩが、ＭＲＤボア内に少なくとも部分的に挿入されるよう構成されている、上述のＡＮＴＩが開示される。
【０１４５】
本発明の他の実施形態によれば、生命維持機材、配管、またはその両方をドッキングさせるよう、または通すよう、構成された少なくとも１つのポートをＡＮＴＩが含む、上述のＡＮＴＩが開示される。
【０１４６】
本発明の他の実施形態によれば、生命維持機材、配管、またはその両方をドッキングさせるよう、または通すよう、構成された少なくとも１つのポートをＡＮＴＩが含む、上述のＡＮＴＩが開示される。
【０１４７】
本発明の他の実施形態によれば、ＴＲＶが、可動式基部、少なくとも１つの支持体、少なくとも１つのＡＮＴＩ端部、およびこれらのあらゆる組み合わせからなる群より選択される位置に配置された少なくとも１つの通気モジュールからなり、さらに、通気モジュールは少なくとも１つの配管によりＡＮＴＩに接続されている、上述のＡＮＴＩが開示される。
【０１４８】
本発明の一実施形態によれば、（ａ）近位端部および逆側の遠位端部を有する主要長手方向軸を有する、長尺、能動的、温度調節された、新生児運搬保育器（ＡＮＴＩ）を取得することと、（ｂ）これらの端部のうちの一方の端部の近傍に、温度調節通気孔（ＴＲＶ）を取り付けることと、（ｃ）主要軸に対して平行にＡＮＴＩ内に新生児を収容することと、（ｄ）ＴＲＶによりＡＮＴＩを温度調節することと、（ｅ）実質的に主要軸に沿って一方の端部から逆側の端部に向かってＴＲＶにより空気を流すことと、により特徴付けられた、新生児を温度調節するための方法が提供される。
【０１４９】
本発明の他の実施形態によれば、その長手方向軸に開放ボアと、開放ボア内に患者台と、を有するＭＲＤに挿入されるようサイズおよび形状によりＡＮＴＩを構成するステップを追加的に含み、（ａ）ボア内でＭＲＤボアに対して平行に新生児を収容するよう、および（ｂ）ＭＲＤ患者台の近傍に新生児を収容するよう、ＡＮＴＩをさらに構成するステップを含む、上述の方法が開示される。
【０１５０】
本発明の他の実施形態によれば、少なくとも１つの第１通気モジュール、少なくとも１つの第１加熱／冷却モジュール、第１通気モジュールまたは第１加熱／冷却モジュールの近傍に配置された少なくとも１つのフィルタ、およびこれらのあらゆる組み合わせからなるモジュールの群からＴＲＶを選択するステップを追加的に含む、上述の方法が開示される。
【０１５１】
本発明の他の実施形態によれば、加熱空気、冷却空気、室温空気、およびこれらのあらゆる組み合わせからなる群より選択される空気をＡＮＴＩへと導入するよう構成された少なくとも１つの通気モジュールを含むＴＲＶモジュールを選択するステップを追加的に含む、上述の方法が開示される。
【０１５２】
本発明の他の実施形態によれば、温度、湿度、空中浮遊分子濃度、ガス濃度、およびこれらのあらゆる組み合わせからなる群より選択される空気品質に対するフィードバック機構であって、空気品質を事前決定された値または値範囲に保持するよう構成されたフィードバック機構を含むＴＲＶを選択するステップを追加的に含む、上述の方法が開示される。
【０１５３】
本発明の他の実施形態によれば、ＴＲＶがロータの軸に対して垂直に回転するファンであって、さらにロータの軸がＡＮＴＩの主要長手方向軸に対して平行に配置されている、上述の方法が開示される。
【０１５４】
本発明の他の実施形態によれば、空気流ストリームを低速化および軽減するためにＴＲＶの近傍に空気乱流化手段（ＡＴＭ）を取り付けるステップを追加的に含む、上述の方法が開示される。
【０１５５】
本発明の他の実施形態によれば、端部のうちの一方の端部に少なくとも１つの第１ＴＲＶを取り付け、逆側の端部に配置された少なくとも１つの第２ＴＲＶを取り付けるステップを追加的に含む、上述の方法が開示される。
【０１５６】
本発明の他の実施形態によれば、（ａ）ＡＮＴＩの外部環境から空気ストリームを収集するための少なくとも１つの空気流入口と、（ｂ）ＡＮＴＩの内部環境から流される空気を収集するための少なくとも１つのリサイクル空気流出口と、（ｃ）ＴＲＶを通してＡＮＴＩの内部環境に向かって空気を導入するための少なくとも１つの空気流入口と、を含む、少なくとも１つの空気リサイクル機構（ＡＲＭ）をＡＮＴＩと空気連通させるステップを追加的に含む、上述の方法が開示される。
【０１５７】
本発明の他の実施形態によれば、リサイクルされた空気ストリーム、ＡＮＴＩの外部環境からの空気ストリーム、ＡＮＴＩの内部環境に向かって流される空気、および、これらのあらゆる組み合わせ、からなる群より選択される少なくとも１つの空気流を調節するために少なくとも１つの空気流調節器をＡＮＴＩに取り付けるステップを追加的に含む、上述の方法が開示される。
【０１５８】
本発明の他の実施形態によれば、少なくとも１つの空気フィルタを含むＡＮＴＩ、ＴＲＶ、またはその両方を選択するステップを追加的に含む、上述の方法が開示される。
【０１５９】
本発明の他の実施形態によれば、内部に存在する新生児の位置を迂回するようにＴＲＶにより生成された空気流の偏流を誘導するようＡＮＴＩを構成するステップを追加的に含む、上述の方法が開示される。
【０１６０】
本発明の他の実施形態によれば、ＡＮＴＩ内の空気流を誘導するよう構成された少なくとも１つの空気流路を含むＡＮＴＩを選択するステップを追加的に含む、上述の方法が開示される。
【０１６１】
本発明の他の実施形態によれば、体積Ｗおよび時間ＹあたりＸの空気流を有するよう構成されたＡＮＴＩを選択するステップを追加的に含む、上述の方法が開示される。空気流体積は立方フィート／分（ＣＦＭ）により測定される。
【０１６２】
本発明の他の実施形態によれば、ユーザによりＸ、Ｗ、およびＹの空気流パラメータを構成するステップを追加的に含む、上述の方法が開示される。
【０１６３】
「Ｗ」、「Ｘ」、および「Ｙ」という用語は、それぞれ任意の正の数を表す。非限定的な例として、空気流の値は０．０００１〜１００ＣＦＭの範囲を取り得る。
【０１６４】
本発明の他の実施形態によれば、以下のパラメータ、すなわち粒子数、バクテリア数、空気圧差異、空気流体積、および空気流速度のうちの少なくとも１つは、ＩＳＯ１４６４４に準拠する手順の規格を用いてテストされ、ＩＳＯ１４６４４に準拠する手順の規格に適合する。世界保健機関により刊行された「Ｈｅａｔｉｎｇ，  Ｖｅｎｔｉｌａｔｉｏｎ  ａｎｄ  Ａｉｒ−Ｃｏｎｄｉｔｉｏｎｉｎｇ」に関する「Ｓｕｐｐｌｅｍｅｎｔａｒｙ  ｔｒａｉｎｉｎｇ  ｍｏｄｕｌｅｓ  ｏｎ  Ｇｏｏｄ  Ｍａｎｕｆａｃｔｕｒｉｎｇ  Ｐｒａｃｔｉｃｅ」に説明されているように、結果は、新生児保育器に対する動作仕様を確立するＩＥＣ６０６０１−２−１９の規格を満足する。体積流量の測定は、いくつかの方法、すなわち、プローブを有する熱式風速計またはマイクロ圧力計を用いてダクトの横断測定を行い、次に必要な変換を行うこと、または供給拡散器もしくは排気グリル上で、もしくは通気孔空気出口点上で、直接的にキャプチャ・フードを使用すること、により達成され得る。
【０１６５】
本発明の他の実施形態によれば、音響減衰手段を含むＡＮＴＩを選択するステップを追加的に含む、上述の方法が開示される。
【０１６６】
本発明の他の実施形態によれば、ＴＲＶにより生成された音響、ＡＮＴＩ内の空気運動により生成された音響、ＭＲＤにより生成された音響、およびこれらのあらゆる組み合わせからなる群より選択された音響を少なくとも部分的に遮断するよう音響生成手段を構成するステップを追加的に含む、上述の方法が開示される。
【０１６７】
本発明の他の実施形態によれば、空気流および／または通気孔により生成された周波数が無効化されるように音波を反射するよう、少なくとも１つの共振器を構成するステップを追加的に含む、上述の方法が開示される。
【０１６８】
本発明の他の実施形態によれば、振動を少なくとも部分的に吸収するよう構成された接続を含む、ＡＮＴＩ、ＴＲＶ、またはその両方を選択するステップを追加的に含む、上述の方法が開示される。
【０１６９】
本発明の他の実施形態によれば、可撓性振動吸収材料、コネクタ、またはその両方によりＡＮＴＩをＴＲＶに接続するステップを追加的に含む、上述の方法が開示される。
【０１７０】
本発明の他の実施形態によれば、ＡＮＴＩ、ＴＲＶ、またはその両方を外部供給される加圧ガスに接続するステップを追加的に含む、上述の方法が開示される。
【０１７１】
本発明の他の実施形態によれば、（ａ）ＡＮＴＩの壁部の近傍に、中央部分および周辺部分を有する主要長手方向軸に対して垂直な断面を作るステップと、（ｂ）近位または遠位の一方の端部、逆側の端部、およびこれらのあらゆる組み合わせからなる群より選択される少なくとも１つの位置において、ＡＮＴＩ内に、またはＡＮＴＩの中央部分の近傍に、配置された少なくとも１つの空気バッフルをＡＮＴＩに取り付け、それにより、空気が主要長手方向軸に沿って流れるためのアパーチャをバッフルと壁部との間に提供するステップと、を追加的に含む、上述の方法が開示される。
【０１７２】
本発明の他の実施形態によれば、ＡＮＴＩの壁部の少なくとも１部分を、穿孔された内部壁部と、完全な状態の穿孔されていない外部壁部と、を含む二重ジャケット壁（ＤＪＷ）として構成し、それによりＤＪＷは、事前定義された幅（ｗ）および長さ（ｌ）を有する導管において主要長手方向軸に沿って空気ストリームを支援する、ステップを追加的に含む、上述の方法が開示される。
【０１７３】
本発明の他の実施形態によれば、長手方向軸に沿って幅（ｗ）および長さ（ｌ）が等しくなるよう導管を成形するステップを追加的に含む、上述の方法が開示される。
【０１７４】
本発明の他の実施形態によれば、長手方向軸に沿って幅（ｗ）および長さ（ｌ）が変化するよう導管を成形するステップを追加的に含む、上述の方法が開示される。
【０１７５】
本発明の他の実施形態によれば、ＡＮＴＩの上方壁部における幅（Ｗ）を、その近位側においてＷ１、遠位側においてＷ２、ＡＮＴＩの下方壁部における幅をその近位側においてＷ３、その遠位側においてＷ４として、（ａ）Ｗ１がＷ２よりも大きく、且つＷ３がＷ４よりも大きいこと、（ｂ）Ｗ１がＷ２よりも大きく、且つＷ３がＷ４よりも小さいこと、（ｃ）Ｗ１がＷ２よりも小さく、且つＷ３がＷ４よりも小さいこと、（ｄ）Ｗ１がＷ２よりも小さく、且つＷ３がＷ４よりも大きいこと、（ｅ）Ｗ１がＷ３よりも大きく、且つＷ２がＷ４よりも大きいこと、（ｆ）Ｗ１がＷ３よりも大きく、且つＷ２がＷ４よりも小さいこと、（ｇ）Ｗ１がＷ３よりも小さく、且つＷ２がＷ４よりも小さいこと、および（ｈ）Ｗ１がＷ３よりも小さく、且つＷ２がＷ４よりも大きいこと、のうちの少なくとも１つが真に保たれるよう、長手方向軸に沿ってＡＮＴＩの少なくとも１部分を成形するステップを追加的に含む、上述の方法が開示される。
【０１７６】
本発明の他の実施形態によれば、ＡＮＴＩがＭＲＩ安全性を有する材料で少なくとも部分的に製造されている、上述の方法が開示される。
【０１７７】
本発明の他の実施形態によれば、ＡＮＴＩ、ＴＲＶ、またはその両方の少なくとも１部分をＭＲＩ安全性を有する材料で形成するステップを追加的に含む、上述の方法が開示される。
【０１７８】
本発明の他の実施形態によれば、振動吸収性材料、音響吸収性材料、耐液性材料、耐火性材料、リサイクル可能材料、使い捨て可能材料、およびこれらのあらゆる組み合わせからなる群より選択される材料を含むＡＮＴＩの少なくとも１部分を形成するステップを追加的に含む、上述の方法が開示される。
【０１７９】
本発明の他の実施形態によれば、温度センサ、運動センサ、呼吸センサ、ガス濃度センサ、空気流センサ、湿度センサ、ドア開閉センサ、重量センサ、ＲＦセンサ、およびこれらのあらゆる組み合わせからなる群より選択される、少なくとも１つのセンサを有するＡＮＴＩを選択するステップを追加的に含む、上述の方法が開示される。
【０１８０】
本発明の他の実施形態によれば、検知された情報をＣＰＵ、表示器、またはその両方に中継するようセンサを構成するステップを追加的に含む、上述の方法が開示される。
【０１８１】
本発明の他の実施形態によれば、中央処理装置（ＣＰＵ）を含むＡＮＴＩを選択するステップを追加的に含む、上述の方法が開示される。
【０１８２】
本発明の他の実施形態によれば、少なくとも１つのセンサから受け取られた信号に応答して通気孔の制御を行うこと、ユーザにより定義された値にしたがって通気孔の制御を行うこと、新生児の事前定義された身体的状況にしたがって通気孔の制御を行うこと、および、これらのあらゆる組み合わせからなる群より選択される通気孔の制御を行うようＣＰＵを構成するステップを追加的に含む、上述の方法が開示される。
【０１８３】
本発明の他の実施形態によれば、緊急シャットダウン機構を含むＴＲＶを選択するステップを追加的に含む、上述の方法が開示される。
【０１８４】
本発明の他の実施形態によれば、可逆的に開閉されるよう構成された少なくとも１つのアパーチャを含むＡＮＴＩを選択するステップを追加的に含み、アパーチャを開閉するステップをさらに含む、上述の方法が開示される。
【０１８５】
本発明の他の実施形態によれば、ＡＮＴＩを少なくとも１つの支持体により可動式基部に相互接続し、それにより、可動式温度調節運搬保育器（ＭＴＩ）が形成されるステップを追加的に含む、上述の方法が開示される。
【０１８６】
本発明の他の実施形態によれば、ＭＲＩ安全性を有する材料から作られた、可動式基部および少なくとも１つの支持体を選択するステップを追加的に含む、上述の方法が開示される。
【０１８７】
本発明の他の実施形態によれば、少なくとも部分的にＭＲＤボア内に挿入されるよう構成されたＭＴＩを選択するステップを追加的に含み、ＭＴＩの少なくとも１部分をＭＲＤボアへと挿入するステップをさらに含む、上述の方法が開示される。
【０１８８】
本発明の他の実施形態によれば、可動式基部、少なくとも１つの支持体、少なくとも１つのＡＮＴＩ端部、およびこれらのあらゆる組み合わせからなる群より選択された位置に配置されたＴＲＶ通気モジュールを選択するステップを追加的に含み、さらに、通気モジュールを少なくとも１つの配管によりＡＮＴＩに接続するステップをさらに含む、上述の方法が開示される。
【０１８９】
本発明の他の実施形態によれば、（ａ）近位端部および逆側の遠位端部を有する主要長手方向軸を有し、これらの端部のうちの少なくとも一方の端部における温度調節通気孔（ＴＲＶ）と、主要長手方向軸に沿った開放ボアを含むＭＲＤと、有する、長尺の能動的温度調節新生児運搬保育器（ＡＮＴＩ）を取得するステップと、（ｂ）新生児を主要長手方向軸に対して平行にＡＮＴＩ内に収容するステップと、（ｃ）ＴＲＶによりＡＮＴＩを温度調節するステップと、（ｄ）ＡＮＴＩをＭＲＤボアへと挿入し、撮像するステップと、を含み、ステップ（ｃ）は、実質的に主要長手方向軸に沿ってＡＮＴＩ端部から逆側の端部に向かってＴＲＶにより空気を流すことを追加的に含み、ステップ（ｄ）は、新生児がＭＲＤ長手方向軸に対して平行となるようＡＮＴＩをＭＲＤボアへと挿入することを追加的に含む、新生児を磁気共鳴撮像（ＭＲＩ）するための方法が提供される。
【０１９０】
本発明の他の実施形態によれば、その長手方向軸に開放ボアと、開放ボア内に患者台と、を有するＭＲＤに挿入されるようサイズおよび形状によりＡＮＴＩを構成するステップを追加的に含み、（ａ）ボア内でＭＲＤボアに対して平行に新生児を収容するよう、および（ｂ）ＭＲＤ患者台の近傍に新生児を収容するよう、ＡＮＴＩをさらに構成するステップを含む、上述の方法が開示される。
【０１９１】
本発明の他の実施形態によれば、少なくとも１つの第１通気モジュール、少なくとも１つの第１加熱／冷却モジュール、第１通気モジュールまたは第１加熱／冷却モジュールの近傍に配置された少なくとも１つのフィルタ、およびこれらのあらゆる組み合わせからなるモジュールの群からＴＲＶを選択するステップを追加的に含む、上述の方法が開示される。
【０１９２】
本発明の他の実施形態によれば、加熱空気、冷却空気、室温空気、およびこれらのあらゆる組み合わせからなる群より選択される空気をＡＮＴＩへと導入するよう構成された少なくとも１つの通気モジュールを含むＴＲＶモジュールを選択するステップを追加的に含む、上述の方法が開示される。
【０１９３】
本発明の他の実施形態によれば、温度、湿度、空中浮遊分子濃度、ガス濃度、およびこれらのあらゆる組み合わせからなる群より選択される空気品質に対するフィードバック機構であって、空気品質を事前決定された値または値範囲に保持するよう構成されたフィードバック機構を含むＴＲＶを選択するステップを追加的に含む、上述の方法が開示される。
【０１９４】
本発明の他の実施形態によれば、ＴＲＶがロータの軸に対して垂直に回転するファンであって、さらにロータの軸がＡＮＴＩの主要長手方向軸に対して平行に配置されている、上述の方法が開示される。
【０１９５】
本発明の他の実施形態によれば、空気流ストリームを低速化および軽減するためにＴＲＶの近傍に空気乱流化手段（ＡＴＭ）を取り付けるステップを追加的に含む、上述の方法が開示される。
【０１９６】
本発明の他の実施形態によれば、端部のうちの一方の端部に少なくとも１つの第１ＴＲＶを取り付け、逆側の端部に配置された少なくとも１つの第２ＴＲＶを取り付けるステップを追加的に含む、上述の方法が開示される。
【０１９７】
本発明の他の実施形態によれば、（ａ）ＡＮＴＩの外部環境から空気ストリームを収集するための少なくとも１つの空気流入口と、（ｂ）ＡＮＴＩの内部環境から流される空気を収集するための少なくとも１つのリサイクル空気流出口と、（ｃ）ＴＲＶを通してＡＮＴＩの内部環境に向かって空気を導入するための少なくとも１つの空気流入口と、を含む、少なくとも１つの空気リサイクル機構（ＡＲＭ）をＡＮＴＩと空気連通させるステップを追加的に含む、上述の方法が開示される。
【０１９８】
本発明の他の実施形態によれば、リサイクルされた空気ストリーム、ＡＮＴＩの外部環境からの空気ストリーム、ＡＮＴＩの内部環境に向かって流される空気、および、これらのあらゆる組み合わせ、からなる群より選択される少なくとも１つの空気流を調節するために少なくとも１つの空気流調節器をＡＮＴＩに取り付けるステップを追加的に含む、上述の方法が開示される。
【０１９９】
本発明の他の実施形態によれば、少なくとも１つの空気フィルタを含むＡＮＴＩ、ＴＲＶ、またはその両方を選択するステップを追加的に含む、上述の方法が開示される。
【０２００】
本発明の他の実施形態によれば、内部に存在する新生児の位置を迂回するようにＴＲＶにより生成された空気流の偏流を誘導するようＡＮＴＩを構成するステップを追加的に含む、上述の方法が開示される。
【０２０１】
本発明の他の実施形態によれば、ＡＮＴＩ内の空気流を誘導するよう構成された少なくとも１つの空気流路を含むＡＮＴＩを選択するステップを追加的に含む、上述の方法が開示される。
【０２０２】
本発明の他の実施形態によれば、体積Ｗおよび時間ＹあたりＸの空気流を有するよう構成されたＡＮＴＩを選択するステップを追加的に含む、上述の方法が開示される。
【０２０３】
本発明の他の実施形態によれば、ユーザによりＸ、Ｗ、およびＹの空気流パラメータを構成するステップを追加的に含む、上述の方法が開示される。
【０２０４】
本発明の他の実施形態によれば、音響減衰手段を含むＡＮＴＩを選択するステップを追加的に含む、上述の方法が開示される。
【０２０５】
本発明の他の実施形態によれば、ＴＲＶにより生成された音響、ＡＮＴＩ内の空気運動により生成された音響、ＭＲＤにより生成された音響、およびこれらのあらゆる組み合わせからなる群より選択された音響を少なくとも部分的に遮断するよう音響生成手段を構成するステップを追加的に含む、上述の方法が開示される。
【０２０６】
本発明の他の実施形態によれば、空気流および／または通気孔により生成された周波数が無効化されるように音波を反射するよう、少なくとも１つの共振器を構成するステップを追加的に含む、上述の方法が開示される。
【０２０７】
本発明の他の実施形態によれば、振動を少なくとも部分的に吸収するよう構成された接続を含む、ＡＮＴＩ、ＴＲＶ、またはその両方を選択するステップを追加的に含む、上述の方法が開示される。
【０２０８】
本発明の他の実施形態によれば、可撓性振動吸収材料、コネクタ、またはその両方によりＡＮＴＩをＴＲＶに接続するステップを追加的に含む、上述の方法が開示される。
【０２０９】
本発明の他の実施形態によれば、ＡＮＴＩ、ＴＲＶ、またはその両方を外部供給される加圧ガスに接続するステップを追加的に含む、上述の方法が開示される。
【０２１０】
本発明の他の実施形態によれば、（ａ）ＡＮＴＩの壁部の近傍に、中央部分および周辺部分を有する主要長手方向軸に対して垂直な断面を作るステップと、（ｂ）近位または遠位の一方の端部、逆側の端部、およびこれらのあらゆる組み合わせからなる群より選択される少なくとも１つの位置において、ＡＮＴＩ内に、またはＡＮＴＩの中央部分の近傍に、配置された少なくとも１つの空気バッフルをＡＮＴＩに取り付け、それにより、空気が主要長手方向軸に沿って流れるためのアパーチャをバッフルと壁部との間に提供するステップと、を追加的に含む、上述の方法が開示される。
【０２１１】
本発明の他の実施形態によれば、ＡＮＴＩの壁部の少なくとも１部分を、穿孔された内部壁部と、完全な状態の穿孔されていない外部壁部と、を含む二重ジャケット壁（ＤＪＷ）として構成し、それによりＤＪＷは、事前定義された幅（ｗ）および長さ（ｌ）を有する導管において主要長手方向軸に沿って空気ストリームを支援する、ステップを追加的に含む、上述の方法が開示される。
【０２１２】
本発明の他の実施形態によれば、長手方向軸に沿って幅（ｗ）および長さ（ｌ）が等しくなるよう導管を成形するステップを追加的に含む、上述の方法が開示される。
【０２１３】
本発明の他の実施形態によれば、長手方向軸に沿って幅（ｗ）および長さ（ｌ）が変化するよう導管を成形するステップを追加的に含む、上述の方法が開示される。
【０２１４】
本発明の他の実施形態によれば、ＡＮＴＩの上方壁部における幅（Ｗ）を、その近位側においてＷ１、遠位側においてＷ２、ＡＮＴＩの下方壁部における幅をその近位側においてＷ３、その遠位側においてＷ４として、（ａ）Ｗ１がＷ２よりも大きく、且つＷ３がＷ４よりも大きいこと、（ｂ）Ｗ１がＷ２よりも大きく、且つＷ３がＷ４よりも小さいこと、（ｃ）Ｗ１がＷ２よりも小さく、且つＷ３がＷ４よりも小さいこと、（ｄ）Ｗ１がＷ２よりも小さく、且つＷ３がＷ４よりも大きいこと、（ｅ）Ｗ１がＷ３よりも大きく、且つＷ２がＷ４よりも大きいこと、（ｆ）Ｗ１がＷ３よりも大きく、且つＷ２がＷ４よりも小さいこと、（ｇ）Ｗ１がＷ３よりも小さく、且つＷ２がＷ４よりも小さいこと、および（ｈ）Ｗ１がＷ３よりも小さく、且つＷ２がＷ４よりも大きいこと、のうちの少なくとも１つが真に保たれるよう、長手方向軸に沿ってＡＮＴＩの少なくとも１部分を成形するステップを追加的に含む、上述の方法が開示される。
【０２１５】
本発明の他の実施形態によれば、ＡＮＴＩがＭＲＩ安全性を有する材料で少なくとも部分的に製造されている、上述の方法が開示される。
【０２１６】
本発明の他の実施形態によれば、ＡＮＴＩ、ＴＲＶ、またはその両方の少なくとも１部分をＭＲＩ安全性を有する材料で形成するステップを追加的に含む、上述の方法が開示される。
【０２１７】
本発明の他の実施形態によれば、振動吸収性材料、音響吸収性材料、耐液性材料、耐火性材料、リサイクル可能材料、使い捨て可能材料、およびこれらのあらゆる組み合わせからなる群より選択される材料を含むＡＮＴＩの少なくとも１部分を形成するステップを追加的に含む、上述の方法が開示される。
【０２１８】
本発明の他の実施形態によれば、温度センサ、運動センサ、呼吸センサ、ガス濃度センサ、空気流センサ、湿度センサ、ドア開閉センサ、重量センサ、ＲＦセンサ、およびこれらのあらゆる組み合わせからなる群より選択される、少なくとも１つのセンサを有するＡＮＴＩを選択するステップを追加的に含む、上述の方法が開示される。
【０２１９】
本発明の他の実施形態によれば、検知された情報をＣＰＵ、表示器、またはその両方に中継するようセンサを構成するステップを追加的に含む、上述の方法が開示される。
【０２２０】
本発明の他の実施形態によれば、中央処理装置（ＣＰＵ）を含むＡＮＴＩを選択するステップを追加的に含む、上述の方法が開示される。
【０２２１】
本発明の他の実施形態によれば、少なくとも１つのセンサから受け取られた信号に応答して通気孔の制御を行うこと、ユーザにより定義された値にしたがって通気孔の制御を行うこと、新生児の事前定義された身体的状況にしたがって通気孔の制御を行うこと、および、これらのあらゆる組み合わせからなる群より選択される通気孔の制御を行うようＣＰＵを構成するステップを追加的に含む、上述の方法が開示される。
【０２２２】
本発明の他の実施形態によれば、緊急シャットダウン機構を含むＴＲＶを選択するステップを追加的に含む、上述の方法が開示される。
【０２２３】
本発明の他の実施形態によれば、可逆的に開閉されるよう構成された少なくとも１つのアパーチャを含むＡＮＴＩを選択するステップを追加的に含み、アパーチャを開閉するステップをさらに含む、上述の方法が開示される。
【０２２４】
本発明の他の実施形態によれば、ＡＮＴＩを少なくとも１つの支持体により可動式基部に相互接続し、それにより、可動式温度調節運搬保育器（ＭＴＩ）が形成されるステップを追加的に含む、上述の方法が開示される。
【０２２５】
本発明の他の実施形態によれば、ＭＲＩ安全性を有する材料から作られた、可動式基部および少なくとも１つの支持体を選択するステップを追加的に含む、上述の方法が開示される。
【０２２６】
本発明の他の実施形態によれば、少なくとも部分的にＭＲＤボア内に挿入されるよう構成されたＭＴＩを選択するステップを追加的に含み、ＭＴＩの少なくとも１部分をＭＲＤボアへと挿入するステップをさらに含む、上述の方法が開示される。
【０２２７】
本発明の他の実施形態によれば、可動式基部、少なくとも１つの支持体、少なくとも１つのＡＮＴＩ端部、およびこれらのあらゆる組み合わせからなる群より選択された位置に配置されたＴＲＶ通気モジュールを選択するステップを追加的に含み、さらに、通気モジュールを少なくとも１つの配管によりＡＮＴＩに接続するステップをさらに含む、上述の方法が開示される。
【０２２８】
本発明の他の実施形態による、（ａ）近位端部および逆側の遠位端部を有する主要長手方向軸を有する長尺能動的温度調節新生児運搬保育器（ＡＮＴＩ）を取得するステップと、（ｂ）これらの端部のうちの少なくとも一方の端部に温度調節通気孔（ＴＲＶ）を取り付けるステップと、（ｃ）新生児を主要長手方向軸に対して平行にＡＮＴＩ内に収容するステップと、（ｄ）ＴＲＶによりＡＮＴＩを温度調節するステップと、を含み、ステップ（ｄ）は、実質的に主要長手方向軸に沿ってＡＮＴＩ端部から逆側の端部に向かってＴＲＶにより空気を流すことを追加的に含み、さらに、（ａ）ＡＮＴＩ内のノイズレベルが６０デシベルより低いことと、（ｂ）ＡＮＴＩ内のノイズレベルが４５デシベルより低いことと、（ｃ）ＡＮＴＩ内の温度が設定温度から最大で２℃高いかまたは２℃低いことと、（ｄ）ＡＮＴＩ内ＣＯ２濃度が４％を超えないことと、（ｅ）ＡＮＴＩ内のＯ２濃度が３０体積％未満になることがなく、且つ４０体積％を超えないことと、（ｆ）ＡＮＴＩ内のマットレス上方の空気速度が０．３５ｍ／ｓを超えないことと、（ｇ）ＡＮＴＩを使用する場合の新生児の温度調節関連問題の量が新生児の温度調節関連問題の平均値の１／ｂであり、ｂは１．０５以上であることと、（ｈ）ＭＲＩの際にＡＮＴＩを利用する場合の患者のノイズ由来ストレスに起因する唾液コルチゾル・レベル指数の平均値がＭＲＩの際の平均値の１／ｎであり、ｎは１．０５以上であることと、（ｉ）ＡＮＴＩを利用する場合の患者あたりのＭＲＩ反復回数の平均値が患者のＭＲＩの際のＭＲＩ反復回数の平均値の１／ｐであり、ｐは１．０５以上であることと、（ｊ）ＭＲＩの際にＡＮＴＩを利用する場合の患者の開放空間関連ストレスに起因する唾液コルチゾル・レベル指数の平均値がＭＲＩの際の平均値の１／ｑであり、ｑは１．０５以上であることと、（ｋ）ＡＮＴＩの内部体積に堆積される２００ｍｌまでの漏出の発生において、ＡＮＴＩは安全に使用され続けることと、（ｌ）通常使用時に１０°傾斜されたとき、および運搬時に２０°傾斜されたとき、ＡＮＴＩは安定性を保つことと、（ｍ）力が１００Ｎ以下である場合、ＡＮＴＩは転倒しないことと、（ｎ）ＡＮＴＩを利用する場合の患者ＭＲＩ関連落下事象の平均回数が患者ＭＲＩ関連落下事象の平均の１／ｒであり、ｒは１．０５以上であることと、（ｏ）電気機器システムを含むＡＮＴＩの内部体積における放射電磁場がＥＭＣ（電磁適合性）に対する副通則の周波数範囲に対して３Ｖ／ｍまでのレベルであり、さらに、電気機器は、ＥＭＣに対する副通則の周波数範囲に対して１０Ｖ／ｍまでのレベルにおいて、製造者により指定された意図される機能を発揮するか、または安全性危害をもたらすことなく機能停止することと、（ｐ）ＡＮＴＩを利用する場合の、製造者、取扱者、ユーザ、操作員、医療介護関係者、医療施設、医療施設経営者、またはこれらのあらゆる組み合わせからなる群より選択される当事者からの保険請求の平均数が患者ＭＲＩ関連保険請求の１／ｖであり、ｖは１．０５以上であることと、のうちの少なくとも１つが真に保たれる、新生児を温度調節するための看護の基準が提供される。
【０２２９】
図１ａを参照すると、ＴＲＶが底部に配置されている先行技術のＡＮＴＩの事例を、縮尺が一定ではない様式で示されている。この種のＡＮＴＩは米国特許第６５１１４１４号に記載されている。この設定では、空気は非直接的な様式で上方に流れ、したがって必ず捻れが生じてしまう。この種の非直接的な流れは、直接的な流れよりも、必ず、より少なく離散的（ノイズが大きい）である。非離散的な空気流は、わずか６０デシベルであるか、または好適にはわずか４５デシベルである、保育器内の許可された体積を超え得る。加えて、新生児の下方で底部に配置されたこの種のＴＲＶでは、新生児は強制的に、ＭＲＩボア内において本来設計された患者位置よりも高く配置されることとなる。結果として、新生児が磁界に対して正確な位置に存在せず、撮像品質が低下してしまう。このことは、主要磁石が患者位置の上方および下方に配置されている、永久磁石の設置を含む磁気共鳴装置に対して、特に該当する。配置された磁石は均一な磁界の方向を画成する。Ｂ０は、磁化を作り出し、スピンを分極させるために使用される、一定で均一な磁界を表す。Ｂ０の方向は、それに対して垂直に印加されたＲＦパルスが磁界を湾曲させる、長手方向軸を画成する。Ｂ０は磁界の方向および大きさの両方を示し得る。主要磁石は、磁界のアイソセンタの正確な位置を可能にするために、本来設計された患者配置に対して、特に配置される。
【０２３０】
これらの磁気共鳴装置は、患者台に対して垂直な軸における制限されたスキャンを可能にするため、患者台に対して平行な軸において係る制限を提供することはない。それにより、撮像品質を損なうことなく、ＭＲＤボアの長手方向軸に追加の長さが可能となる。さらに、上部または底部においてＴＲＶを有する運搬保育器は、サイズおよび形状により、必ずしも常にＭＲＤボア内に嵌合するとは限らず、したがって、当該技術分野で周知の全部のＭＲＤにおいて新生児をスキャンすることに対して必ずしも好適であるとは限らない。
【０２３１】
ここで図１ｂを参照すると、ＴＲＶがＡＮＴＩの近位端に配置されている本発明の一実施形態が、縮尺が一定ではない様式で示されている。ＴＲＶからの温度調節された空気は、ＡＮＴＩの長手方向軸に対して平行に、保育器の近位端部を通って流れる。この種の直接的な空気の流れは離散的であり、新生児の保育器のノイズ要件を満足することが可能である。さらに、ＴＲＶが近位端部に配置されていることにより、ＭＲＤボア内において患者台に対して新生児の位置が保持され、それにより撮像プロセスに対して干渉が加えられることがない。
【０２３２】
ここで図２ａおよび図２ｂを参照すると、これらの図面のそれぞれは、能動的新生児運搬保育器（ＡＮＴＩ）（１００）の透視図を示す。ＡＮＴＩ（１００）は、事前決定されたサイズ、形状、および断面の長尺容器であって、長尺容器の長手方向軸の両端部において近位側（１０１）および遠位側（１０２）を有する内側温度調節閉止環境を収容する。本発明の一実施形態によれば、温度調節通気孔（ＴＲＶ、１４０）は、近位側と空気連通し、少なくとも１つの第１流体通気モジュール（例えば、ファン、ジェット、送風機、圧縮器、ポンプ、その他、またはこれらのあらゆる組み合わせ）（１０３）を含み、少なくとも１つの第１流体加熱／冷却モジュール（例えば、空調システム、赤外線加熱器、水／油・加熱放熱器、コイル加熱器、開放コイル空気加熱器、丸い開放コイル空気加熱器、対流加熱器、直線状もしくは形成されたチューブ式加熱器、クオーツ・チューブ空気加熱器、コンデンサ型加熱器、ペルティエ・モジュール、またはこれらのあらゆる組み合わせ）（１０５）が配置される。ＴＲＶ（１４０）の遠位（および／または近位）において、少なくとも１つの第１フィルタが配置されている（１０６）。新生児（１）はＴＲＶに対して、頭部を向けた状態（図２ａ）または脚部を向けた状態（図２ｂ）で、配置される。ＴＲＶ（１４０）は、１つの方法（例えば、空気流（１０６）がファン（１０３）によって近位端部（１０１）から加熱器（１０５）に向かって支援される）で、動作する。空気流はフィルタ（１０６）を介して保育器の内部環境に流される。穏やかでしかも効果的な温度調節された空気流（１０８）が、例えば遠位端部における開口部を介して、内部環境から外側環境へ支援される（流れ１０９参照）。空気流はＡＮＴＩの容器の長手方向軸に対して平行であり、ＴＲＶが長手方向軸の近位端部と空気連通しているため、空気流に捻れが存在せず、したがって非常に静粛である。
【０２３３】
ここで図２ｃを参照すると、保育器の近位端部に配置された少なくとも１つの第１ファン（１０３Ａ）と、遠位端部（１０２）に配置された少なくとも１つの第２ファン（１０３Ｂ）と、を含む、本発明のさらに他の実施形態に係るＡＮＴＩ（１１０）の部分的透視側面図が縮尺が一定ではない様式で示されている。この空気流方式では、空気は、近位流体通気モジュールにより押され、暖められ、濾過され、遠位流体通気モジュールにより、連続的または離散的に引かれる。
【０２３４】
ここで図２ｄを参照すると、遠位端部（１０２）と近位端部（１０１）におけるＴＲＶ（１０３）とがチューブ（１１０）により接続されているＡＮＴＩ（１００）の側面図が、縮尺が一定ではない様式で示されている。このチューブも、ＡＮＴＩの周囲に向かう開口部（１１２）を有する。このチューブは、遠位端部（１０２）から流れる温かいリサイクルされた空気（１１５）および周囲から保育器へと流れる新鮮な空気（１１３）の量を制御する調節器（１１４）を含む。このチューブは、ＡＮＴＩの近位端部（１０１）における通気孔から放出された空気の他にも、ＡＮＴＩの周囲からの空気も流す。２つの供給源からＡＮＴＩに流れる空気の量の比率は調節器（１１４）により制御される。ＡＮＴＩが閉止され温度が一定に保持されているとき、調節器は、空気の大半が周囲からＡＮＴＩへと流れることを可能にする。この空気は酸素を豊富に含む。一方、ＡＮＴＩが開放され温度が低下する場合、調節器は、温かいリサイクルされた空気がＡＮＴＩに流れ込むことを可能にする。この温かいリサイクルされた空気は、低濃度の酸素を含むが、ＡＮＴＩを再加熱することを支援する。調節器は、温度および酸素濃度の低下に応じた異なる比率の混合空気がＡＮＴＩ内に流れることを可能にし得る。
【０２３５】
ここで図２ｅを参照すると、温度の変化にしたがって、ＡＮＴＩへと流れ込むリサイクルされた空気の量がいかに変化するか、を示すグラフが、縮尺が一定ではない様式で、示されている。ＡＮＴＩが閉止され温度が３６℃に保たれている場合（時点Ｘ以前）、リサイクルされた空気の量も調節器により一定（この事例では５０％）に保たれる。ＡＮＴＩが開放される（時点Ｘ）と、ただちにＡＮＴＩ内の温度は低下し、可能なかぎり迅速にＡＮＴＩを再加熱することが必要となる。温度変化に応答して、調節器はリサイクルされた空気流の量を５０％から８０％に増加する。リサイクルされた空気は、温かいため、ＡＮＴＩ内の温度が３６℃に戻ることを支援する。温度が安定すると、調節器はただちにリサイクルされた空気を５０％に減少させる。
【０２３６】
ここで図２ｆを参照すると本発明のさらに他の実施形態に係るＡＮＴＩ（１２０）の部分的透視側面図が、縮尺が一定ではない様式で、示されている。ＡＮＴＩ（１１０）は、保育器１１０のすべての特徴（例えば近位部分における通気モジュール（１０３Ａ）ならびに加熱／冷却モジュール（１０６）、遠位側（１０９）における他の通気モジュール（１０３Ｂ）、その他）と、１つまたは複数の空気バッフラ（ここでは近位バッフラ（１２１Ａ）および遠位バッフラ（１２１Ｂ））と、を含む。ファン１０３Ａにより支援される空気流（１２２）は加熱され、バッフラ１２１Ａに向かって流される。バッフラ１２１Ａは例えば、湾曲した部材、多角形の部材、特定的なテクスチャが施された表面、１つまたは複数のアパーチャを有する特定の形状が施された表面、その他である。したがって空気は、バッフラと保育器の壁部との間に提供された上方および／または下方のアパーチャ（１２４）を介して、流される（１２３）。空気は、ＡＮＴＩの壁部に対して実質的に平行に、ＡＮＴＩの内部環境内で線形の様式で流れる（１０８）。このようにして空気乱流が解消され、新生児（１）は垂直方向の空気流（１２０）にさらされない。同様に、空気流（１０８）はファン（例えばファン１０３Ｂ）により流され、第２バッフラ（１２１Ｂ）を介して空気を流す（１２３）ことにより、ＡＮＴＩから出る（１０９）。
【０２３７】
ここで図２ｇを参照すると、本発明のさらに他の実施形態に係るＡＮＴＩ（１３０）の部分的透視側面図が、縮尺が一定ではない様式で、示されている。ＡＮＴＩ（１３０）は前述の流体通気モジュールの変化例を含む。ここでは、通気システムは、ＡＮＴＩの近位端部（１０１）において、通気モジュール（例えばファン１０３）、加熱／冷却モジュール（１０５）、および風バッフラ（１２１）を含む少なくとも１つのＴＲＭを含む。少なくとも１つの事前定義された位置（例えば加熱／冷却モジュールとバッフラとの間）に、空気乱流化手段がさらに配置される（１３１）。空気乱流化手段は、バッフル化の前または後に空気ストリーム（１０５）を緩和（１３２）するために、比較的低速回転に適応された前方ファンまたは後方ファンの通風器であり得る。乱流手段は、非限定的な様式で、能動的部材（例えばファン、複数ファンの構成もしくは複数ファンのカスケード、空気ポンプ、ダイソン型の羽根のないエアマルチプライア、通気装置、その他など）および／または受動的部材（例えば特定的なテクスチャが施されたストレーナ、連続的な障壁内の湾曲した導管、その他など）から選択される。
【０２３８】
ここで図２ｈを参照すると、少なくとも１つのオリフィスを含む、本発明のさらに他の実施形態に係るＡＮＴＩ（１３０）の部分的透視側面図が、縮尺が一定ではない様式で、示されている。このオリフィスは、ＡＮＴＩの上方壁部、下方壁部（図示されている）、またはその両方に配置され得る。ＡＮＴＩへと流された空気は、オリフィス（単数または複数）を通して流れ出る。オリフィスの位置は、ＡＮＴＩ内の空気流の種類（線形または乱流）を決定し得る。
【０２３９】
ここで図２ｉおよび図１ｊを参照すると、バッフルと容器の上方部分との間のアパーチャ、および容器の下方部分におけるオリフィス、を通る乱流空気流の部分的透視側面図および正面図が、縮尺が一定ではない様式で示されている。この実施形態では、空気は、バッフラにより作られた上方アパーチャと、容器の内側壁部と、を通って流れる。これらのアパーチャは両方とも、ＡＮＴＩの近位側および遠位側に配置されている。オリフィスは、アパーチャと逆側の側面（この場合では、容器の下方部分）の中央に配置されている。空気はこれらのアパーチャを通ってＴＲＶから流れ、単一のオリフィスを通って流出する。両方の側面からの空気流が互いに衝突し合い、したがって流れが乱流となることが、観察され得る。
【０２４０】
ここで図２ｋおよび図２ｌを参照すると、バッフルと容器の上方部分との間のアパーチャ、およびバッフルと容器の下方部分との間のアパーチャと、容器の下方部分および上方部分に配置された２つのオリフィスと、を通る、線形空気流の部分的透視側面図および正面図が、縮尺が一定ではない様式で示されている。この実施形態では、空気は、容器の近位端部および遠位端部における逆方向に配置されたアパーチャから流れる。一方、オリフィスが容器のそれぞれの部分（上方および下方）に配置されているため、２つの空気ストリームは衝突せず、したがって空気流は線形である。
【０２４１】
ここで図２ｍおよび図２ｎを参照すると、空気が、バッフルと容器の上方部分との間のアパーチャ、バッフルと容器の下方部分との間のアパーチャ、および容器の下方部分または上方部分に配置された１つのオリフィスを通る線形流の他の部分的透視側面図および正面図が、縮尺が一定ではない様式で示されている。一方、２つの空気流は、合体して、容器の下方部分に配置された１つのオリフィスから流出するため、これらの空気流は衝突し合わず、したがって空気流は線形である。
【０２４２】
ここで図２ｏを参照すると、線形流および乱流を利用して温度を変化させるための時間的差異（ΔＴ）が、縮尺が一定ではない様式で、示されている。図２ｏにおけるグラフでは、温度変化を生じさせる事象が発生した後にＡＮＴＩがその本来設計された温度に戻るために必要となる時間が、示されている。Ｘ１は、（設計された温度である温度Ｙ２からの）温度低下を生じさせる事象（例えば保育器のドアの開放）が発生した時間を表す。時点Ｘ２は、ＴＲＶがＡＮＴＩの加温を開始する時間を表す。実線は乱流による加温を表し、その一方で破線は線形流による加温を表す。乱流によるＡＮＴＩ環境の加温が、線形流よりも顕著に速いことが観察され得る。
【０２４３】
ここで図２ｐを参照すると、ＭＲＩボア内に収容されたＡＮＴＩが、縮尺が一定ではない様式で示されている。ＡＮＴＩはその遠位端部と近位端部との間に唯一の平面を有する。この平面は基本的に、唯一の新生児を収容する。ＡＮＴＩの上方または下方には機材が存在せず、したがってこのＡＮＴＩは撮像に対して大いに好適である。図２ｐと同様に、ＡＮＴＩはＣＴスキャナ、Ｘ線装置、またはＡＮＴＩを輸送するためのカートにも収容され得る。このＡＮＴＩは、新生児が経験する様々な試験の間に新生児を温度調節するための解決策を提供する。
【０２４４】
ここで図３を参照すると、本発明のさらに他の実施形態に係るＡＮＴＩ（２００）の部分的透視側面図が、縮尺が一定ではない様式で、示されている。ＡＮＴＩ（２００）は流体通気モジュール（例えばファン、加熱器、および近位バッフラ）（１２１Ａ）を含む。保育器は、その内側部分に、二重ジャケット壁の構成を含む。したがって例えば、上方二重壁構成は、外側エンベロープ（２５０）および内側エンベロープ（２５１）を含む。新生児（１）を包囲するこれらの内側壁部および外側壁部は、効果的な空気流（１０８）を提供する様式で、層状化されている。外側壁部は、連続的なエンベロープであってもよく、または少なくとも部分的に穿孔されたエンベロープであってもよい。内側壁部は少なくとも部分的に穿孔されている。二重ジャケット壁により提供される空気導管は幅（ｗ）により特徴付けられる。ただしｗは空気導管（２５３）、すなわち長手方向軸（１０１−１０２）、に沿って等しいか、または等しくなく、それにより、小さい幅（ｗ）の少なくとも１部分と、比較的大きい幅（Ｗ）の少なくとも１部分と、を有する（ここで、Ｗ＞ｗである）。
【０２４５】
係るシステムの１つの事例では、環境空気は、ファンにより例えば近位端部（１０１）から例えば遠位端部（１０２）に流され、加熱器により温度調節される。環境空気は次に、連続的または非連続的にバッフラ（１２１Ａ）により、二重ジャケット壁（２５０、２５１）の上方（新生児の天井側）に提供された幅（ｗ）の導管へと強制される。内側壁部（２５１）は穿孔されており、それにより、内部環境（２５４）が温度調節される一方で、比較的高い二酸化炭素濃度を有する空気は保育器の内部環境（２５４）から流出し、比較的低い二酸化炭素濃度を有する空気は流入する。依然として図３を参照すると、効果的でしかも穏やかな空気循環（２０１）を線形空気流（１０８）に提供する、穿孔されていない外壁部（２６０）および穿孔された内側壁部（２６１）の２つの同心円状に平行な層により提供される下方の二重ジャケット（新生児のベッド側）が示されている。
【０２４６】
ここで図４ａを参照すると、上方（新生児の天井側）の二重ジャケット壁（２５０、２５１）の１部分の断面が、非限定的且つ一定の縮尺から外れた様式で概略的に示されている。ここで再び、温度調節された空気流（１０８）が保育器（１０１）の近位側から流される。幅（ｗ）は、空気の流入および流出（２０２Ｂ、２０２Ａ）を提供する導管（２５３）に沿って等しい。
【０２４７】
ここで図４ｂを参照すると、上方（乳児の天井側）の二重ジャケット壁（２５０、２５１）の１部分の断面が、非限定的且つ一定の縮尺から外れた様式で概略的に示されている。温度調節された空気流（１０８）は導管（２５３）を介して保育器（１０１）の近位側から流される。幅は、初期幅（ｗ）が狭く、次に幅が増加する（Ｗ）様式で、変動する。ベンチュリ効果により、導管の近位側における高圧の清浄で温度調節された空気ストリームは、保育器の内部環境（２５４）に向かって流出（２０２Ａ）する。導管の遠位部分において、幅（Ｗ）は比較的大きく、再びベンチュリ効果により、空気は、穿孔された内側壁部（２５１）を介して導管に流入（２０２Ｂ）する。導管２５３は位置２５４においてその幅を拡張させる。したがって新生児の口が、導管２５３がその幅を拡張させる位置２５４に、または別様に当該エリアの近傍に配置された位置に対向しているとき、二酸化炭素は新生児の口を包囲するエリアから効果的、静粛、且つ安全に排出される。同時に、温度調節された清浄な空気は、制御された様式で、新生児の頭部から遠隔の位置における新生児の周囲へと強制的に送られる。
【０２４８】
ここで図４ｃを参照すると、二重ジャケット壁（２５０、２５１）の１部分（上方の新生児の天井側）の断面が、非限定的且つ一定の縮尺から外れた様式で概略的に示されている。ここで再び、温度調節された空気流（１０８）がＡＮＴＩ（１０１）の近位側から流される。初期幅（Ｗ）が導管に沿って幅（ｗ）に減少する様式で幅が変動し、上述のベンチュリ効果により、導管の近位側における空気の低圧ストリームは、二酸化炭素を豊富に含む空気流を導管（２０２Ｂ）に向かって排出させ、その一方で、遠位側における高圧空気ストリームは、清浄で温度調節された空気流を導管からＡＮＴＩの内部環境（２５４）に向かって強制的に流す。
【０２４９】
図４ｂおよび図４ｃを参照する。導管に沿って幅（ｗ）における変化を示す図４ｂおよび図４ｃと同様に、導管の長さ（ｌ）が変化し得、同様のベンチュリ効果が生じ得る。
【０２５０】
ここで図５Ａを参照すると、能動的運搬保育器（１００）の背面図が、一定の縮尺から外れた様式で概略的に示されている。空気流入ポート（１２）と空気流出ポート（１４）が見られる。さらに線Ａ−Ａの断面図が、図５Ｂに示されている。
【０２５１】
ここで図５Ｂを参照すると、図５Ａの線「Ａ」に沿った、能動的運搬保育器（１００）の上部断面図が、一定の縮尺から外れた様式で概略的に示されている。この実施形態では、保育器は２つのＴＲＶ（１０１、１０２）を含む。これらのＴＲＶは同等であってもよく、または同等でなくてもよく、さらに単一のＴＲＶが存在してもよく、または複数のＴＲＶが存在してもよい。それぞれのＴＲＶ（１０１、１０２）は、例えばファン（１３）、送風機、通風器、その他などの空気移動装置を含む。少なくとも１つのＴＲＶが、加湿器などの任意の空気修正器に、酸素供給に、外部加熱器もしくは冷却器に、接続され得る。さらにＴＲＶは、ユーザによる事前構成にしたがって、または保育器内に配置された少なくとも１つのセンサ（２５）により受け取られた情報の分析により動作されるフィードバック機構により、空気流を制御するよう構成されたＣＰＵ（２７）に接続されている。検知された情報は、少なくとも１つの指示器（音響、光刺激、またはこれらのあらゆる組み合わせに基づく指示器）に、またはあらゆるユーザ・インターフェース（スクリーンまたはコンピュータなど）に、中継され得る。さらに、検知された情報は、通信システム（例えば内部コンピュータ・ネット、インターネットなど）に電子メールまたはモバイルフォンＳＭＳ上のメッセージとして伝送されてもよく、ページャ呼び出しまたは任意の医療監視システムをトリガしてもよく、または、モニタもしくはナースステーションへと局所的に伝達されてもよい。センサは、振動、音響レベル、温度、ガス濃度、空気流（空気圧力、風、その他）、湿度、保育器ドアの開閉、保育器の構造的完全性、保育器が現在患者を収容しているかどうか、その他、のうちの任意の項目を検知するよう構成されている。加えて、保育器は、内部の新生児の医療的快適度を検知するよう構成された任意のセンサを含み得る（それにより、呼吸、心臓血管の活動、動き、その他などの監視が可能となる）。センサ（２５）はＣＰＵ（２７）、少なくとも１つの指示器、またはその両方に接続されている。空気の流れを新生児（１）の頭部から離間する方向に誘導するよう構成されたそれぞれのファン（１３）は流路（２０）、導管、配管、廊下、経路内に配置されている。この流路は、保育器の内部体積の全体を通して空気のリサイクルを確保する、保育器内の空気を分配する手段である。それぞれの流路は、外部からの空気の流入を支援する空気流入ポート（１２）を含み、空気フィルタ（２９）に接続され得る。空気フィルタは、空気中の粒子、煙、化学分子、湿気、細菌、埃、およびあらゆる空中浮遊物質を濾過するよう構成されている。それぞれの流路は、空気流出ポート（１５）をさらに含み、空気流出ポート（１５）も空気フィルタ（３０）を含み得る。空気フィルタ（３０）は、流入ポート・フィルタと同等のフィルタであってもよく、または粒径がより小さい粒子または異なる分子を濾過するよう構成されてもよい。流出ポート（１５）は、内部体積（５）に流れ込む空気の方向、乱流、空気圧を変化させることが可能である操作可能なバッフルを含む。矢印は、ＴＲＶ（１０１）を通って保育器の外部から内部体積（５）へと至る空気流を示す。ＴＲＶは空中浮遊薬剤を特定的な濃度で分配させるよう構成され得、ＴＲＶを通って進入する比率と、内部体積（５）内の空気をリサイクルする比率と、を決定することにより投与を制御し、それにより空中浮遊薬剤を除去することもできる。
【０２５２】
ここで図６を参照すると、能動的運搬保育器（１００）の透視図が概略的に示されている。保育器は、複数の通風器（１３）を収容する少なくとも１つのＴＲＶ（１０１）（例えば、通気孔、送風機、圧縮機、ファン、マルチ・ファン複合体、可動フラップ、もしくは帆、または空気を移動させるよう構成されたあらゆる手段などと相互交換可能である）を含む。それぞれの通風器は、別個のフィルタに、または１つの共通の空気フィルタに接続された共通の容器またはタンクから供給される真空空気に、接続され、および所望により、外部から提供される湿度、加熱／冷却、ガス供給（例えば圧縮空気、酸素、その他など）に接続された、別個の空気流入ポートを有し得る。各ファン（１３）は異なる角度で空気を流すよう構成され得る。この属性は、ＴＲＶ（１０１）から保育器（１００）への空気流出ポートに配置されたバッフルによっても獲得され得る。いくつかの実施形態では、ファン（１３）からの空気流の角度は、内部に収容された新生児を迂回するよう操作されてもよく、またはリサイクルされた空気の保育器（１００）の内における分布を改善するよう構成されてもよい。さらにいくつかのファンは、空気を内部体積（５）へと移動させるよう向けられてもよく、一方では、他のファンは空気を流出させるよう構成されてもよい。追加的または代替的に、保育器は、保育器の外側に空気を流すために少なくとも１つの開口部を有する。この開口部は、その比率または特性を（例えば温度に反応して柔軟性を）変化させる物質（例えば熱反応性ポリマーもしくは形状記憶ポリマー、または、空気圧差異に応答して受動的に開放し、それにより内部から空気を放出する薄い可撓性膜）を使用して、特定的手温度、電界、磁化、湿度、光、または特定的な溶液に対する曝露の結果として開口するよう構成された受動的な一方通行空気流ポートであり得る。手動により、または外的な力（エンジン、電気的力、その他）を利用して、開放される能動的に制御される開口部も本発明の範囲に含まれる。この開口部は、少なくとも１つのセンサによりトリガされる事前決定されたアラームにしたがって、またはリモート・コントロールを操作するユーザもしくはＣＰＵにより遠隔的に、開放するよう構成される。追加的または代替的に、ファンは、空気温度、空気圧力、湿度、起源、ガス濃度、あらゆる他の空気流パラメータ、およびこれらの組み合わせにしたがって、保育器内への流入および保育器からの流出を変化させる。
【０２５３】
ここで図７を参照すると、ＴＲＶ（１０１）についての一定の縮尺から外れた事例が、側面図で概略的に示されている。この実施形態では、ＴＲＶ（１０１）は、空気を移動させるよう構成されたブレード（１３）を含む。ブレード（１３）は、ブレード（１３）がその周囲を回転する中心軸（１１）に取り付けられている。空気は、穿孔または開口部を有する表面壁部（６０）を通って流入し、空気フィルタ（１９）を通過することにより流出する。直接的空気流は、周辺部に開口部を有するパネル（１８）により阻止され、それにより空気は矢印の方向に流れることができる。
【０２５４】
ここで図８を参照すると、本発明の一実施形態が一定の縮尺から外れた様式で斜視図において概略的に示されている。保育器（１００）は、少なくとも１つのファン（１３）を含むＴＲＶ（１０１）を含む。ＴＲＶ（１０１）は、ＡＮＴＩの外部に配置された側面流路／配管（２０）に接している。流路（２０）は、複数のポート（５０）を通してＡＮＴＩ（１００）に沿った様々な位置に空気を分配する。保育器の側面上の流路、および少なくとも１つの遠位端部または近位端部に配置されたファン、の位置は、磁気共鳴装置の上部および底部の主要磁石に対する新生児の位置に干渉しない。ＡＮＴＩはサイズおよび形状により、ＭＲＤボア内に挿入されるよう構成されている。追加的または代替的に、ＡＮＴＩは、スクリーン（４０）および操作ボタン（４１）を含む、ＣＰＵに接続されたユーザ・インターフェースを、ＡＮＴＩの両端部のうちの一方の端部に含む。スクリーン（４０）は監視スクリーンであってもよく、または相互作用可能なタッチスクリーンであってもよい。操作ボタン（４１）は、ＴＲＶ（１０１）の様々な側面（例えば温度、湿度、空気流、アラームの生成、保育器の開口部の開閉、ファン、緊急停止ボタン、フィルタの解放ボタン、その他）を制御するよう構成されている。一実施形態では、ＴＲＶ（１０１）は、ＡＮＴＩ（１００）に対して可逆的に取り付け可能である交換可能モジュールである。
【０２５５】
ＡＮＴＩは、ＭＲＩ安全性を有する物質（例えば、ガラス、複合材料、ポリ（トリメチレンテレフタレート）（ＰＴＴまたは同様のＰＥＴ）、ポリ（メチルメタクリレート）（ＰＭＭＡまたは同様のＰＨＭＭＡ）、ポリ塩化ビニル（容器）、またはこれらのプラスチックに基づく混合物から、少なくとも部分的に作られる。追加的または代替的に、ＡＮＴＩの少なくとも１部分は、内部に存在する新生児の少なくとも部分的な閲覧を可能にする少なくとも部分的に透明な部分を含む。
【０２５６】
本発明の他の実施形態によれば、ＡＮＴＩ（１００）は、すべての適用される規制、特に以下の規格およびそのセクション、すなわちＡＮＳＩ／ＡＡＭＩ／ＩＥＣ  ６０６０１−２−１９：２００９  Ｍｅｄｉｃａｌ  Ｅｌｅｃｔｒｉｃａｌ  Ｅｑｕｉｐｍｅｎｔ  −  Ｐａｒｔ  ２−１９：  Ｐａｒｔｉｃｕｌａｒ  ｒｅｑｕｉｒｅｍｅｎｔｓ  ｆｏｒ  ｔｈｅ  ｂａｓｉｃ  ｓａｆｅｔｙ  ａｎｄ  ｅｓｓｅｎｔｉａｌ  ｐｅｒｆｏｒｍａｎｃｅ  ｏｆ  ｉｎｆａｎｔ  ｉｎｃｕｂａｔｏｒｓ、を満足するためのすべての手段を有する。この規格は、新生児保育器の基本的安全性および本質的性能に適用される。この規格は、病気、負傷、または身体障害の補正または緩和のために使用される新生児保育器にも適用され得る。さらに詳細には、これは、ｓｅｃｔｉｏｎｓ  ２０１．２  Ｎｏｒｍａｔｉｖｅ  ｒｅｆｅｒｅｎｃｅｓと、２０１．４  Ｇｅｎｅｒａｌ  ｒｅｑｕｉｒｅｍｅｎｔｓと、２０１．８  Ｐｒｏｔｅｃｔｉｏｎ  ａｇａｉｎｓｔ  ｅｌｅｃｔｒｉｃａｌ  ＨＡＺＡＲＤＳ  ｆｒｏｍ  ＭＥ  ＥＱＵＩＰＭＥＮＴと、２０１．９  Ｐｒｏｔｅｃｔｉｏｎ  ａｇａｉｎｓｔ  ＭＥＣＨＡＮＩＣＡＬ  ＨＡＺＡＲＤＳ  ｏｆ  ＭＥ  ＥＱＵＩＰＭＥＮＴ  ａｎｄ  ＭＥ  ＳＹＳＴＥＭＳと、２０１．１０  Ｐｒｏｔｅｃｔｉｏｎ  ａｇａｉｎｓｔ  ｕｎｗａｎｔｅｄ  ａｎｄ  ｅｘｃｅｓｓｉｖｅ  ｒａｄｉａｔｉｏｎ  ＨＡＺＡＲＤＳと、２０１．１１  Ｐｒｏｔｅｃｔｉｏｎ  ａｇａｉｎｓｔ  ｅｘｃｅｓｓｉｖｅ  ｔｅｍｐｅｒａｔｕｒｅｓ  ａｎｄ  ｏｔｈｅｒ  ＨＡＺＡＲＤＳと、２０１．１２  Ａｃｃｕｒａｃｙ  ｏｆ  ｃｏｎｔｒｏｌｓ  ａｎｄ  ｉｎｓｔｒｕｍｅｎｔｓ  ａｎｄ  ｐｒｏｔｅｃｔｉｏｎ  ａｇａｉｎｓｔ  ｈａｚａｒｄｏｕｓ  ｏｕｔｐｕｔｓと、２０１．１３  ＨＡＺＡＲＤＯＵＳ  ＳＩＴＵＡＴＩＯＮＳ  ａｎｄ  ｆａｕｌｔ  ｃｏｎｄｉｔｉｏｎｓと、２０１．１４  ＰＲＯＧＲＡＭＭＡＢＬＥ  ＥＬＥＣＴＲＩＣＡＬ  ＭＥＤＩＣＡＬ  ＳＹＳＴＥＭＳ  （ＰＥＭＳ）と、２０１．１５  Ｃｏｎｓｔｒｕｃｔｉｏｎ  ｏｆ  ＭＥ  ＥＱＵＩＰＭＥＮＴと、２０１．１６  ＭＥ  ＳＹＳＴＥＭＳと、２０１．１７  Ｅｌｅｃｔｒｏｍａｇｎｅｔｉｃ  ｃｏｍｐａｔｉｂｉｌｉｔｙ  ｏｆ  ＭＥ  ＥＱＵＩＰＭＥＮＴ  ａｎｄ  ＭＥ  ＳＹＳＴＥＭＳと、２０２  Ｅｌｅｃｔｒｏｍａｇｎｅｔｉｃ  ｃｏｍｐａｔｉｂｉｌｉｔｙ  −  Ｒｅｑｕｉｒｅｍｅｎｔｓ  ａｎｄ  ｔｅｓｔｓと、２１０  Ｒｅｑｕｉｒｅｍｅｎｔｓ  ｆｏｒ  ｔｈｅ  ｄｅｖｅｌｏｐｍｅｎｔ  ｏｆ  ｐｈｙｓｉｏｌｏｇｉｃ  ｃｌｏｓｅｄ−ｌｏｏｐ  ｃｏｎｔｒｏｌｌｅｒｓ    ２０１．３．２０１と、Ｆｉｇｕｒｅ  ２０１．１０１  −  ＩＮＦＡＮＴ  ＳＫＩＮ  ＴＥＭＰＥＲＡＴＵＲＥ  ｍｅａｓｕｒｅｍｅｎｔと、Ｆｉｇｕｒｅ  ２０１．１０２  −  Ｖａｒｉａｔｉｏｎ  ｏｆ  ＩＮＣＵＢＡＴＯＲ  ＴＥＭＰＥＲＡＴＵＲＥと、に適用される。これら全部は、その全体が参考文献として本明細書に援用される。
【０２５７】
本発明の他の実施形態によれば、ＡＮＴＩ（１００）は、すべての適用される規制、特に以下の規格およびそのセクション、すなわちＡＮＳＩ／ＡＡＭＩ／ＩＥＣ  ６０６０１−２−２０：２００９  Ｍｅｄｉｃａｌ  Ｅｌｅｃｔｒｉｃａｌ  Ｅｑｕｉｐｍｅｎｔ  −  Ｐａｒｔ  ２−２０：  Ｐａｒｔｉｃｕｌａｒ  ｒｅｑｕｉｒｅｍｅｎｔｓ  ｆｏｒ  ｔｈｅ  ｂａｓｉｃ  ｓａｆｅｔｙ  ａｎｄ  ｅｓｓｅｎｔｉａｌ  ｐｅｒｆｏｒｍａｎｃｅ  ｏｆ  ｉｎｆａｎｔ  ｔｒａｎｓｐｏｒｔ  ｉｎｃｕｂａｔｏｒｓ、および、さらに詳細には、ｓｅｃｔｉｏｎ  ２０１．３．２０１と、ＡＩＲ  ＣＯＮＴＲＯＬＬＥＤ  ＴＲＡＮＳＰＯＲＴ  ＩＮＣＵＢＡＴＯＲ  ｉｎ  ｗｈｉｃｈ  ｔｈｅ  ａｉｒ  ｔｅｍｐｅｒａｔｕｒｅ  ｉｓ  ａｕｔｏｍａｔｉｃａｌｌｙ  ｃｏｎｔｒｏｌｌｅｄ  ｂｙ  ａｎ  ａｉｒ  ｔｅｍｐｅｒａｔｕｒｅ  ｓｅｎｓｏｒ  ｃｌｏｓｅ  ｔｏ  ａ  ｖａｌｕｅ  ｓｅｔ  ｂｙ  ｔｈｅ  ＯＰＥＲＡＴＯＲと、２０１．３．２０２  ＡＶＥＲＡＧＥ  ＴＥＭＰＥＲＡＴＵＲＥ  ａｖｅｒａｇｅ  ｏｆ  ｔｅｍｐｅｒａｔｕｒｅ  ｒｅａｄｉｎｇｓ  ｔａｋｅｎ  ａｔ  ｒｅｇｕｌａｒ  ｉｎｔｅｒｖａｌｓ  ａｔ  ａｎｙ  ｓｐｅｃｉｆｉｅｄ  ｐｏｉｎｔ  ｉｎ  ｔｈｅ  ＣＯＭＰＡＲＴＭＥＮＴ  ａｃｈｉｅｖｅｄ  ｄｕｒｉｎｇ  ＳＴＥＡＤＹ  ＴＥＭＰＥＲＡＴＵＲＥ  ＣＯＮＤＩＴＩＯＮと、２０１．３．２０３  ＡＶＥＲＡＧＥ  ＴＲＡＮＳＰＯＲＴ  ＩＮＣＵＢＡＴＯＲ  ＴＥＭＰＥＲＡＴＵＲＥ  ａｖｅｒａｇｅ  ｏｆ  ｔｈｅ  ＩＮＦＡＮＴ  ＴＲＡＮＳＰＯＲＴ  ＩＮＣＵＢＡＴＯＲ  ＴＥＭＰＥＲＡＴＵＲＥ  ｒｅａｄｉｎｇｓ  ｔａｋｅｎ  ａｔ  ｒｅｇｕｌａｒ  ｉｎｔｅｒｖａｌｓ  ａｃｈｉｅｖｅｄ  ｄｕｒｉｎｇ  ＳＴＥＡＤＹ  ＴＥＭＰＥＲＡＴＵＲＥ  ＣＯＮＤＩＴＩＯＮと、２０１．３．２０４  ＢＡＢＹ  ＣＯＮＴＲＯＬＬＥＤ  ＴＲＡＮＳＰＯＲＴ  ＩＮＣＵＢＡＴＯＲ  ＡＩＲ  ＣＯＮＴＲＯＬＬＥＤ  ＴＲＡＮＳＰＯＲＴ  ＩＮＣＵＢＡＴＯＲ  ｗｈｉｃｈ  ｈａｓ  ｔｈｅ  ａｄｄｉｔｉｏｎａｌ  ｃａｐａｂｉｌｉｔｙ  ｏｆ  ａｕｔｏｍａｔｉｃａｌｌｙ  ｃｏｎｔｒｏｌｌｉｎｇ  ｔｈｅ  ＩＮＣＵＢＡＴＯＲ  ａｉｒ  ｔｅｍｐｅｒａｔｕｒｅ  ｉｎ  ｏｒｄｅｒ  ｔｏ  ｍａｉｎｔａｉｎ  ｔｈｅ  ｔｅｍｐｅｒａｔｕｒｅ  ａｓ  ｍｅａｓｕｒｅｄ  ｂｙ  ａ  ＳＫＩＮ  ＴＥＭＰＥＲＡＴＵＲＥ  ＳＥＮＳＯＲ  ａｃｃｏｒｄｉｎｇ  ｔｏ  ｔｈｅ  ＣＯＮＴＲＯＬ  ＴＥＭＰＥＲＡＴＵＲＥ  ｓｅｔ  ｂｙ  ｔｈｅ  ＯＰＥＲＡＴＯＲ  ＮＯＴＥ  Ａｎ  ＩＮＦＡＮＴ  ＴＲＡＮＳＰＯＲＴ  ＩＮＣＵＢＡＴＯＲ  ｏｐｅｒａｔｉｎｇ  ａｓ  ａ  ＢＡＢＹ  ＣＯＮＴＲＯＬＬＥＤ  ＩＮＣＵＢＡＴＯＲ  ｉｓ  ａ  ＰＨＹＳＩＯＬＯＧＩＣ  ＣＬＯＳＥＤ−ＬＯＯＰ  ＣＯＮＴＲＯＬＬＥＲ  ａｓ  ｄｅｆｉｎｅｄ  ｉｎ  ＩＥＣ  ６０６０１−１−１０．と、２０１．３．２０５  ＣＯＭＰＡＲＴＭＥＮＴ  ｅｎｖｉｒｏｎｍｅｎｔａｌｌｙ−ｃｏｎｔｒｏｌｌｅｄ  ｅｎｃｌｏｓｕｒｅ  ｉｎｔｅｎｄｅｄ  ｔｏ  ｃｏｎｔａｉｎ  ａｎ  ＩＮＦＡＮＴ  ａｎｄ  ｗｉｔｈ  ｔｒａｎｓｐａｒｅｎｔ  ｓｅｃｔｉｏｎ（ｓ）  ｗｈｉｃｈ  ａｌｌｏｗｓ  ｆｏｒ  ｖｉｅｗｉｎｇ  ｏｆ  ｔｈｅ  ＩＮＦＡＮＴと、２０１．３．２０６  ＣＯＮＴＲＯＬ  ＴＥＭＰＥＲＡＴＵＲＥ，  ｔｅｍｐｅｒａｔｕｒｅ  ｓｅｌｅｃｔｅｄ  ａｔ  ｔｈｅ  ｔｅｍｐｅｒａｔｕｒｅ  ｃｏｎｔｒｏｌと、２０１．３．２０７  ＩＮＦＡＮＴ  ＰＡＴＩＥＮＴ  ｕｐ  ｔｏ  ｔｈｅ  ａｇｅ  ｏｆ  ｔｈｒｅｅ  ｍｏｎｔｈｓ  ａｎｄ  ａ  ｗｅｉｇｈｔ  ｌｅｓｓ  ｔｈａｎ  １０  ｋｇと、２０１．３．２０８  ＩＮＦＡＮＴ  ＴＲＡＮＳＰＯＲＴ  ＩＮＣＵＢＡＴＯＲ，  ＴＲＡＮＳＰＯＲＴＡＢＬＥ  ＭＥ  ＥＱＵＩＰＭＥＮＴ  ｔｈａｔ  ｉｓ  ｅｑｕｉｐｐｅｄ  ｗｉｔｈ  ａ  ＣＯＭＰＡＲＴＭＥＮＴ  ａｎｄ  ａ  ＴＲＡＮＳＰＯＲＴＡＢＬＥ  ｅｌｅｃｔｒｉｃａｌ  ｐｏｗｅｒ  ｓｏｕｒｃｅ  ｗｉｔｈ  ｔｈｅ  ｍｅａｎｓ  ｔｏ  ｃｏｎｔｒｏｌ  ｔｈｅ  ｅｎｖｉｒｏｎｍｅｎｔ  ｏｆ  ｔｈｅ  ＩＮＦＡＮＴ  ｐｒｉｍａｒｉｌｙ  ｂｙ  ｈｅａｔｅｄ  ａｉｒ  ｗｉｔｈｉｎ  ｔｈｅ  ＣＯＭＰＡＲＴＭＥＮＴと、２０１．３．２０９  ＳＫＩＮ  ＴＥＭＰＥＲＡＴＵＲＥ，  ｔｅｍｐｅｒａｔｕｒｅ  ｏｆ  ｔｈｅ  ｓｋｉｎ  ｏｆ  ｔｈｅ  ＩＮＦＡＮＴ  ａｔ  ａ  ｐｏｉｎｔ  ｏｎ  ｗｈｉｃｈ  ｔｈｅ  ＳＫＩＮ  ＴＥＭＰＥＲＡＴＵＲＥ  ＳＥＮＳＯＲ  ｉｓ  ｐｌａｃｅｄと、２０１．３．２１０  ＳＫＩＮ  ＴＥＭＰＥＲＡＴＵＲＥ  ＳＥＮＳＯＲ  ｓｅｎｓｉｎｇ  ｄｅｖｉｃｅ  ｉｎｔｅｎｄｅｄ  ｔｏ  ｍｅａｓｕｒｅ  ｔｈｅ  ＩＮＦＡＮＴ’Ｓ  ＳＫＩＮ  ＴＥＭＰＥＲＡＴＵＲＥと、を満足するためのすべての手段を有する。これら全部は、その全体が参考文献として本明細書に援用される。
【０２５８】
ここで図９を参照すると、本発明の一実施形態に係るＭＴＩ（１４００）が、非限定的且つ一定の縮尺から外れた様式で、概略的に示されている。ＭＴＩ（１４００）は、とりわけ、輸送基部プラットフォーム（１４０１）と、保育モジュール（１４０２）と、フード（１４５０）と、これらの相互接続する支持柱（１４０３）と、を含む。これにより、本発明の一実施形態に係る、独立的に温度調節されたＭＲＩ（ＩＴ−ＭＲＩ）、独立的に温度調節された新生児の保育器（ＩＴＮＩ）を含む、独立的に温度調節された装備内で未熟児を撮像するための手段および方法が提供される。
【０２５９】
保育器はＩＴＮＩ型であり、濾過および加湿された空気をバッフル（１４１１）に向かって流す通気／加熱モジュール（１４１０）を含む。この空気流（１４１２）は、上方（１４１３）および下方（１４１５）で流され、逆側側面において、水平、線形、且つ静寂な流れ（流れ１４１４および１４１７）を介して、保育器から流出する。ＭＴＩ１４００が、サイズおよび形状により、ＩＴＮＩ（１４０２）を開放ボアを有するＭＲＩ内に導入するよう適応されている場合も、本発明の範囲に含まれる。追加的または代替的に、ＴＲＶを含むＡＮＴＩは、「Ａ  ＣＲＡＤＬＥ  ＦＯＲ  ＮＥＯＮＡＴＥＳ」を発明の名称とする２０１３年５月２１日に出願されたイスラエル国特許出願第２２６４８８号で説明されているように、トローリーに組み込まれ得る。
【０２６０】
ここで図１０を参照すると、本発明の一実施形態に係るＭＴＩ（１５００）が、非限定的且つ一定の縮尺から外れた様式で、概略的に示されている。ＭＴＩ（１５００）は、とりわけ、輸送プラットフォーム（１５０１）と、保育モジュール（１５０２）と、これらの相互接続する支持柱（１５２０）と、を含む。保育器はＩＴＮＩ型であり、濾過および加湿された空気をＩＴＮＩに向かって流す１つまたは複数の通気／加熱モジュールを含む。
【０２６１】
本発明の一実施形態によれば、ＩＴＮＩ（１５０２）は、支持体（１５２０）に相互接続された近位部分、および遠位部分を含む。ＩＴＮＩは、基部がない下方部分（１５５０）と、開閉操縦可能な天蓋状の上方部分（１５６０）と、を含む。ＩＴＮＩの近位端部において、上方部分および下方部分に１つまたは複数のアパーチャ（それぞれ１５６２および１５５１）が提供されている。同様に、ＩＴＮＩの遠位端部において、上方部分および下方部分に１つまたは複数のアパーチャ（それぞれ１５６５および１５５４）が提供されている。
【０２６２】
本発明のさらに他の実施形態によれば、例えば支持体（１５２０）上に配置された１つまたは複数の上方温度調節モジュール（１５２１）は、環境空気の通気、加熱、加湿、および濾過を行い、その空気（空気流１５６１）を、上方近位アパーチャ（１５６２）、天蓋（１５６３）における上方ゾーン、および上方アパーチャ１５６５を介して、流出流（１５６４）により流すために、提供されている。追加的または代替的に、例えば支持体（１５２０）上に配置された１つまたは複数の下方温度調節モジュール（１５２２）は、環境空気の通気、加熱、加湿、および濾過を行い、その空気（空気流１５２３）を、下方近位アパーチャ（１５５１）、保育器の下方ゾーン（１５５２）、および下方アパーチャ１５５４を介して、流出流（１５５３）により流すために、提供されている。追加的または代替的に、例えば輸送プラットフォーム（１５０１）に配置された通気孔（１５１０Ａ）、加熱器（１５１０Ｂ）、ノイズおよび／または熱遮断配管およびエンベロープ（１５１４Ｂ）を有する１つまたは複数の下方温度調節モジュール（１５１０Ａ）は、環境空気の通気、加熱、加湿、および濾過を行い、環境外部環境からその空気（空気流１５１１）を、プラットフォーム（１５０１）を介して（空気流１５１３）、支持体（１５２０）を介して（空気流１５１４Ａ、１５２３、および１５２３）、下方近位アパーチャ（１５５１）、保育器の下方ゾーン（１５５２）を介して、および下方アパーチャ１５５４を介して、流出流（１５５３）により流すために、提供されている。モジュール１５１０、１５２２、および１５２１、およびバッフル１４１１（図１０参照）のうちの１つまたは複数の組み合わせが利用される場合も、さらに本発明の範囲に含まれる。
【０２６３】
本発明の一実施形態によれば、近位端部および逆側の遠位端部を有する主要長手方向軸を有し、これらの端部のうちの少なくとも一方の端部の近傍に温度調節通気孔（ＴＲＶ）を有し、ＴＲＶは、実質的に主要長手方向軸に沿って一方の端部から逆側の端部に向かって空気を流すよう構成され、さらにＡＮＴＩは、サイズおよび形状により、主要長手方向軸に対して平行に新生児を収容するよう構成され、ＡＮＴＩの少なくとも１部分は、サイズおよび形状により、その長手方向軸に開放ボアを有するＭＲＤに挿入されるよう構成され、さらにＡＮＴＩは、ＭＲＤボアに対して平行に新生児を収容するよう構成されている、長尺能動的温度調節新生児運搬保育器（ＡＮＴＩ）が提供される。
【０２６４】
本発明の一実施形態によれば、近位端部および逆側の遠位端部を有する主要長手方向軸を有し、これらの端部のうちの少なくとも一方の端部の近傍に温度調節通気孔（ＴＲＶ）を有し、ＴＲＶは、実質的に主要長手方向軸に沿って一方の端部から逆側の端部に向かって空気を流すよう構成され、さらにＡＮＴＩは、サイズおよび形状により、主要長手方向軸に対して平行に新生児を収容するよう構成され、ＡＮＴＩの少なくとも１部分は、サイズおよび形状により、その長手方向軸に開放ボアを有するＭＲＤに挿入されるよう構成され、さらにＡＮＴＩは、ＭＲＤボアに対して平行に新生児を収容するよう構成され、さらに、（ａ）ＴＲＶは、少なくとも１つの第１通気モジュール、少なくとも１つの第１加熱／冷却モジュール、第１通気モジュールまたは第１加熱／冷却モジュールのいずれかの近傍に配置された少なくとも１つのフィルタ、および、これらのあらゆる組み合わせ、からなる群より選択されるモジュールであることと、（ｂ）ＴＲＶは、加熱空気、冷却空気、加湿空気、濾過空気、室温空気、事前決定されたガス濃度の空気、空気、およびこれらのあらゆる組み合わせからなる群より選択される空気をＡＮＴＩへと導入するよう構成された少なくとも１つの通気モジュールを含むことと、（ｃ）ＴＲＶは、温度、湿度、圧力、空中浮遊分子濃度、ガス濃度、およびこれらのあらゆる組み合わせからなる群より選択される空気品質に対するフィードバック機構であって、その空気品質を事前決定された値または値範囲に保持するよう構成されたフィードバック機構を含むことと、（ｄ）ＴＲＶは、ロータの軸に対して垂直に回転する少なくとも１つのロータを有するファンであり、さらに、その軸がＡＮＴＩの主要長手方向軸に対して平行に配置されていることと、のうちの少なくとも１つが真に保たれる、長尺能動的温度調節新生児運搬保育器（ＡＮＴＩ）が提供される。
【０２６５】
本発明の一実施形態によれば、近位端部および逆側の遠位端部を有する主要長手方向軸を有し、これらの端部のうちの少なくとも一方の端部の近傍に温度調節通気孔（ＴＲＶ）を有し、ＴＲＶは、実質的に主要長手方向軸に沿って一方の端部から逆側の端部に向かって空気を流すよう構成され、さらにＡＮＴＩは、サイズおよび形状により、主要長手方向軸に対して平行に新生児を収容するよう構成され、ＡＮＴＩの少なくとも１部分は、サイズおよび形状により、その長手方向軸に開放ボアを有するＭＲＤに挿入されるよう構成され、さらにＡＮＴＩは、ＭＲＤボアに対して平行に新生児を収容するよう構成され、さらに、（ａ）ＡＮＴＩは、これらの端部のうちの一方の端部に配置された少なくとも１つの第１ＴＲＶと、逆側の端部に配置された少なくとも１つの第２ＴＲＶと、を含むことと、（ｂ）少なくとも１つのＴＲＶはＡＮＴＩ内に配置されていることと、（ｃ）少なくとも１つのＴＲＶは、ＡＮＴＩの外部に配置され、配管によりＡＮＴＩと空気連通することと、（ｄ）少なくとも１つのＴＲＶはＡＮＴＩと空気連通し、少なくとも１つのＴＲＶはＡＮＴＩから遠隔に配置されていることと、のうちの少なくとも１つが真に保たれる、長尺能動的温度調節新生児運搬保育器（ＡＮＴＩ）が提供される。
【０２６６】
本発明の一実施形態によれば、近位端部および逆側の遠位端部を有する主要長手方向軸を有し、これらの端部のうちの少なくとも一方の端部の近傍に温度調節通気孔（ＴＲＶ）を有し、ＴＲＶは、実質的に主要長手方向軸に沿って一方の端部から逆側の端部に向かって空気を流すよう構成され、さらにＡＮＴＩは、サイズおよび形状により、主要長手方向軸に対して平行に新生児を収容するよう構成され、ＡＮＴＩの少なくとも１部分は、サイズおよび形状により、その長手方向軸に開放ボアを有するＭＲＤに挿入されるよう構成され、さらにＡＮＴＩは、ＭＲＤボアに対して平行に新生児を収容するよう構成され、さらに、ＡＮＴＩは、少なくとも１つの空気リサイクル機構（ＡＲＭ）と空気連通し、ＡＭＲは、（ａ）ＡＮＴＩの外部環境から空気ストリームを収集するための少なくとも１つの空気流入口と、（ｂ）ＡＮＴＩの内部環境から空気ストリームを収集するための、少なくとも１つのリサイクル空気流出口と、（ｃ）ＴＲＶを通してＡＮＴＩの内部環境に向かって空気を導入するための少なくとも１つの空気流入口と、を含み、さらに、ＡＮＴＩは、リサイクルされた空気ストリーム、ＡＮＴＩの外部環境からの空気ストリーム、ＡＮＴＩの内部環境に向かって流される空気、および、これらのあらゆる組み合わせ、からなる群より選択される少なくとも１つの空気流を調節するための少なくとも１つの空気流調節器を含む、長尺能動的温度調節新生児運搬保育器（ＡＮＴＩ）が提供される。
【０２６７】
本発明の一実施形態によれば、近位端部および逆側の遠位端部を有する主要長手方向軸を有し、これらの端部のうちの少なくとも一方の端部の近傍に温度調節通気孔（ＴＲＶ）を有し、ＴＲＶは、実質的に主要長手方向軸に沿って一方の端部から逆側の端部に向かって空気を流すよう構成され、さらにＡＮＴＩは、サイズおよび形状により、主要長手方向軸に対して平行に新生児を収容するよう構成され、ＡＮＴＩの少なくとも１部分は、サイズおよび形状により、その長手方向軸に開放ボアを有するＭＲＤに挿入されるよう構成され、さらにＡＮＴＩは、ＭＲＤボアに対して平行に新生児を収容するよう構成され、さらに、（ａ）ＴＲＶは、少なくとも１つの第１通気モジュール、少なくとも１つの第１加熱／冷却モジュール、第１通気モジュールまたは第１加熱／冷却モジュールのいずれかの近傍に配置された少なくとも１つのフィルタ、および、これらのあらゆる組み合わせ、からなる群より選択されるモジュールであることと、（ｂ）ＴＲＶは、加熱空気、冷却空気、加湿空気、濾過空気、室温空気、事前決定されたガス濃度の空気、空気、およびこれらのあらゆる組み合わせからなる群より選択される空気をＡＮＴＩへと導入するよう構成された少なくとも１つの通気モジュールを含むことと、（ｃ）ＴＲＶは、温度、湿度、圧力、空中浮遊分子濃度、ガス濃度、およびこれらのあらゆる組み合わせからなる群より選択される空気品質に対するフィードバック機構であって、その空気品質を事前決定された値または値範囲に保持するよう構成されたフィードバック機構を含むことと、（ｄ）ＴＲＶは、ロータの軸に対して垂直に回転する少なくとも１つのロータを有するファンであり、さらに、その軸がＡＮＴＩの主要長手方向軸に対して平行に配置されていることと、のうちの少なくとも１つが真に保たれ、さらにＡＮＴＩは、ＡＮＴＩの壁部の近傍に配置された中央部分および周辺部分を有する主要長手方向軸に対して垂直な断面を有し、ＡＮＴＩは、少なくとも１つの位置に配置された少なくとも１つの空気バッフラをさらに含み、その位置は、近位または遠位の一方の端部、逆側の端部、およびこれらのあらゆる組み合わせからなる群より選択され、少なくとも１つの空気バッフラはＡＮＴＩ内またはＡＮＴＩの中央部分の近傍に配置され、それによりバッフルと壁部との間に、空気が主要長手方向軸に沿って流れるためのアパーチャが提供される、長尺能動的温度調節新生児運搬保育器（ＡＮＴＩ）が提供される。
【０２６８】
本発明の一実施形態によれば、近位端部および逆側の遠位端部を有する主要長手方向軸を有し、これらの端部のうちの少なくとも一方の端部の近傍に温度調節通気孔（ＴＲＶ）を有し、ＴＲＶは、実質的に主要長手方向軸に沿って一方の端部から逆側の端部に向かって空気を流すよう構成され、さらにＡＮＴＩは、サイズおよび形状により、主要長手方向軸に対して平行に新生児を収容するよう構成され、ＡＮＴＩの少なくとも１部分は、サイズおよび形状により、その長手方向軸に開放ボアを有するＭＲＤに挿入されるよう構成され、さらにＡＮＴＩは、ＭＲＤボアに対して平行に新生児を収容するよう構成され、さらに、（ａ）ＴＲＶは、少なくとも１つの第１通気モジュール、少なくとも１つの第１加熱／冷却モジュール、第１通気モジュールまたは第１加熱／冷却モジュールのいずれかの近傍に配置された少なくとも１つのフィルタ、および、これらのあらゆる組み合わせ、からなる群より選択されるモジュールであることと、（ｂ）ＴＲＶは、加熱空気、冷却空気、加湿空気、濾過空気、室温空気、事前決定されたガス濃度の空気、空気、およびこれらのあらゆる組み合わせからなる群より選択される空気をＡＮＴＩへと導入するよう構成された少なくとも１つの通気モジュールを含むことと、（ｃ）ＴＲＶは、温度、湿度、圧力、空中浮遊分子濃度、ガス濃度、およびこれらのあらゆる組み合わせからなる群より選択される空気品質に対するフィードバック機構であって、その空気品質を事前決定された値または値範囲に保持するよう構成されたフィードバック機構を含むことと、（ｄ）ＴＲＶは、ロータの軸に対して垂直に回転する少なくとも１つのロータを有するファンであり、さらに、その軸がＡＮＴＩの主要長手方向軸に対して平行に配置されていることと、のうちの少なくとも１つが真に保たれ、さらに、（ａ）ＡＮＴＩ、ＴＲＶ、またはその両方は少なくとも１つの空気フィルタを含むことと、（ｂ）ＡＮＴＩは、ＡＮＴＩ内において空気流を誘導するよう構成された少なくとも１つの空気流路を含むことと、のうちの少なくとも１つが真に保たれ、さらに、（ａ）ＡＮＴＩは、内部に存在する新生児の位置を迂回するように空気流の偏流を誘導するよう構成されていることと、（ｂ）ＡＮＴＩは、体積Ｗおよび時間ＹあたりＸの空気流を有するよう構成されていることと、（ｃ）ＡＮＴＩは、ユーザにより構成可能であるか、少なくとも１つのセンサにより受け取られた情報にしたがって自動的に調節されるか、またはその両方である、体積Ｗおよび時間ＹあたりＸの空気流を有するよう構成されていることと、（ｄ）ＡＮＴＩは、ＡＮＴＩ内部体積の少なくとも１部分の内部において、線形空気流、乱流空気流、またはその両方を提供するよう構成されていることと、のうちの少なくとも１つが真に保たれ、さらにＡＮＴＩは、ＭＲＤにより生成される音響、ＴＲＶにより生成される音響、ＡＮＴＩ内の空気運動の音響、およびこれらのあらゆる組み合わせ、からなる群より選択される音響を少なくとも部分的に減衰させるよう構成された音響減衰手段を含み、さらに、（ａ）ＡＮＴＩ、ＴＲＶ、またはその両方は振動を少なくとも部分的に吸収するよう構成された接続を含むことと、（ｂ）ＡＮＴＩは可撓性振動吸収材料、コネクタ、またはその両方により、ＴＲＶに接続されていることと、のうちの少なくとも１つが真に保たれ、さらにＡＮＴＩ、ＴＲＶ、またはその両方は外部供給される加圧ガスに接続されている、長尺能動的温度調節新生児運搬保育器（ＡＮＴＩ）が提供される。
【０２６９】
本発明の一実施形態によれば、近位端部および逆側の遠位端部を有する主要長手方向軸を有し、近位端部および遠位端部のうちの少なくとも一方の近傍に温度調節通気孔（ＴＲＶ）を含み、ＴＲＶは、実質的に主要長手方向軸に沿って、空気を一方の端部から他方の端部へと流すよう構成され、さらにＡＮＴＩは、サイズおよび形状により、主要長手方向軸に沿って新生児を収容するよう構成され、さらにＡＮＴＩの少なくとも１部分はサイズおよび形状により、その長手方向軸に開放ボアを有するＭＲＤへと挿入されるよう構成され、さらにＡＮＴＩはＭＲＤボアに対して平行に新生児を収容するよう構成され、さらに、（ａ）ＴＲＶは、少なくとも１つの第１通気モジュール、少なくとも１つの第１加熱／冷却モジュール、第１通気モジュールまたは第１加熱／冷却モジュールのいずれかの近傍に配置された少なくとも１つのフィルタ、および、これらのあらゆる組み合わせ、からなる群より選択されるモジュールであることと、（ｂ）ＴＲＶは、加熱空気、冷却空気、加湿空気、濾過空気、室温空気、事前決定されたガス濃度の空気、空気、およびこれらのあらゆる組み合わせからなる群より選択される空気をＡＮＴＩへと導入するよう構成された少なくとも１つの通気モジュールを含むことと、（ｃ）ＴＲＶは、温度、湿度、圧力、空中浮遊分子濃度、ガス濃度、およびこれらのあらゆる組み合わせからなる群より選択される空気品質に対するフィードバック機構であって、その空気品質を事前決定された値または値範囲に保持するよう構成されたフィードバック機構を含むことと、（ｄ）ＴＲＶは、ロータの軸に対して垂直に回転する少なくとも１つのロータを有するファンであり、さらに、その軸がＡＮＴＩの主要長手方向軸に対して平行に配置されていることと、のうちの少なくとも１つが真に保たれ、さらにＡＮＴＩの壁部の少なくとも１部分は二重ジャケット壁構成（ＤＪＷ）であり、ＤＪＷは、穿孔された内部壁部と、完全な状態の穿孔されていない外部壁部と、を含み、それによりＤＪＷは、事前定義された幅（ｗ）および長さ（ｌ）を有する導管における主要長手方向軸に沿う空気ストリームを支援し、さらに、（ａ）幅（ｗ）および長さ（ｌ）は長手方向軸に沿って等しいか、長手方向軸に沿って変化するか、またはこれらのあらゆる組み合わせであることと、（ｂ）二重ジャケット壁間の導管は、音響減衰手段、断熱材料、振動低減手段、ＲＦコイル、伝導性材料、非伝導性材料、およびこれらのあらゆる組み合わせ、からなる群より選択されるものを含むことと、のうちの少なくとも１つが真に保たれ、さらに、長手方向軸に沿ったＡＮＴＩの少なくとも１部分において、ＡＮＴＩの上方壁部における幅（Ｗ）を、その近位側においてＷ１、遠位側においてＷ２、ＡＮＴＩの下方壁部における幅をその近位側においてＷ３、その遠位側においてＷ４として、（ａ）Ｗ１はＷ２よりも大きく、且つＷ３はＷ４よりも大きいことと、（ｂ）Ｗ１はＷ２よりも大きく、且つＷ３はＷ４よりも小さいことと、（ｃ）Ｗ１はＷ２よりも小さく、且つＷ３はＷ４よりも小さいことと、（ｄ）Ｗ１はＷ２よりも小さく、且つＷ３はＷ４よりも大きいことと、（ｅ）Ｗ１はＷ３よりも大きく、且つＷ２はＷ４よりも大きいことと、（ｆ）Ｗ１はＷ３よりも大きく、且つＷ２はＷ４よりも小さいことと、（ｇ）Ｗ１はＷ３よりも小さく、且つＷ２はＷ４よりも小さいことと、（ｈ）Ｗ１はＷ３よりも小さく、且つＷ２はＷ４よりも大きいことと、のうちの少なくとも１つが真に保たれる、長尺能動的温度調節新生児運搬保育器（ＡＮＴＩ）が提供される。
【０２７０】
本発明の一実施形態によれば、近位端部および逆側の遠位端部を有する主要長手方向軸を有し、これらの端部のうちの少なくとも一方の端部の近傍に温度調節通気孔（ＴＲＶ）を有し、ＴＲＶは、実質的に主要長手方向軸に沿って一方の端部から逆側の端部に向かって空気を流すよう構成され、さらにＡＮＴＩは、サイズおよび形状により、主要長手方向軸に対して平行に新生児を収容するよう構成され、ＡＮＴＩの少なくとも１部分は、サイズおよび形状により、その長手方向軸に開放ボアを有するＭＲＤに挿入されるよう構成され、さらにＡＮＴＩは、ＭＲＤボアに対して平行に新生児を収容するよう構成され、さらにＡＮＴＩの少なくとも１部分はサイズおよび形状により、その長手方向軸に開放ボアを有するＭＲＤへと挿入されるよう構成され、さらにＡＮＴＩはＭＲＤボアに対して平行に新生児を収容するよう構成され、さらにＡＮＴＩ、ＴＲＶ、またはその両方の少なくとも１部分はＭＲＩ安全性を有する材料により作られ、さらにＡＮＴＩは、少なくとも１つのセンサから受け取られた信号に応答してＴＲＶの制御を行うこと、ユーザにより定義された値にしたがってＴＲＶの制御を行うこと、新生児の事前定義された身体的状況にしたがってＴＲＶの制御を行うこと、および、これらのあらゆる組み合わせからなる群より選択されるＴＲＶの制御を行うよう構成された中央処理装置（ＣＰＵ）を含む、長尺能動的温度調節新生児運搬保育器（ＡＮＴＩ）が提供される。
【０２７１】
本発明の一実施形態によれば、近位端部および逆側の遠位端部を有する主要長手方向軸を有し、これらの端部のうちの少なくとも一方の端部の近傍に温度調節通気孔（ＴＲＶ）を有し、ＴＲＶは、実質的に主要長手方向軸に沿って一方の端部から逆側の端部に向かって空気を流すよう構成され、さらにＡＮＴＩは、サイズおよび形状により、主要長手方向軸に対して平行に新生児を収容するよう構成され、ＡＮＴＩの少なくとも１部分は、サイズおよび形状により、その長手方向軸に開放ボアを有するＭＲＤに挿入されるよう構成され、さらにＡＮＴＩは、ＭＲＤボアに対して平行に新生児を収容するよう構成され、さらにＡＮＴＩの少なくとも１部分はサイズおよび形状により、その長手方向軸に開放ボアを有するＭＲＤへと挿入されるよう構成され、さらにＡＮＴＩはＭＲＤボアに対して平行に新生児を収容するよう構成され、さらに、（ａ）ＡＮＴＩは、可逆的に開閉されるよう構成された少なくとも１つのアパーチャを含むことと、（ｂ）ＡＮＴＩは、アルファ線、ベータ線、ガンマ線、Ｘ線、磁気、電離、熱、赤外線、音響、およびこれらのあらゆる組み合わせ、からなる群より選択される放射に対して透過性を有することと、のうちの少なくとも１つが真に保たれ、さらにＡＮＴＩは、少なくとも１つの支持棒により可動式基部に相互接続され、それにより、可動式温度調節運搬保育器（ＭＴＩ）が形成され、さらに、（ａ）可動式基部および少なくとも１つの支持体はＭＲＩ安全性を有する材料から作られていることと、（ｂ）ＭＴＩはＭＲＤボア内に少なくとも部分的に挿入されるよう構成されていることと、（ｃ）ＴＲＶは、可動式基部、少なくとも１つの支持体、少なくとも１つのＡＮＴＩ端部、およびこれらのあらゆる組み合わせ、からなる群より選択される位置に配置されていることと、のうちの少なくとも１つが真に保たれ、さらに通気モジュールは少なくとも１つの配管によりＡＮＴＩに相互接続されている、長尺能動的温度調節新生児運搬保育器（ＡＮＴＩ）が提供される。
【０２７２】
ここで図１１Ａ〜図１１Ｅを参照すると、新生児（１）を温度調節するための１セットの保育器（１００ａ〜１００ｄ）が一定の縮尺から外れた様式で概略的に示されている。保育器は、とりわけ、新生児（１）を収容するためのフード（１４５０）を含む。フードは、多角形または楕円形状などの任意の形状で提供され、１つ、２つ、または３つ以上の層から構築され、これらの各層は、あらゆる好適な材料（例えばポリマー組成物（ＰＭＭＡ、ＰＶＣ、ポリカーボネート、その他）、ガラス、金属、発泡製品、またはこれらの混合物）で作られている。フードは、温度調節された空気（１６０）が温度調節通気孔（ＴＲＶ）（１０１）からフード（１４５０）に流れることを可能にする基部部分（１０２０）上に取り付けられる。フードは、基部から可逆的に取り外し可能であってもよく、または基部に永久的に取り付けられてもよい。基部における温度調節された空気（１６０）の流れは、フードの床部、側面壁部、またはこれらの組み合わせ上に提供された特定的なテクスチャが施された穿孔（１７０）の配列を通してフードに向かって支援される。穿孔の少なくとも１部分は、永久的形状を有しても、または、空気流ストリームを誘導および／または調節（例えば、低速化、緩和、その他）するためにフィードバックされた様式で調整可能であり、および／または、操作可能であり、および／または調節可能であっても、本発明の範囲に含まれる。穿孔の少なくとも１部分が、単一方向性の空気流または双方向性の空気流に対する場合も、さらに、本発明の範囲に含まれる。空気流が、フードが取り付けられている基部と空気連通する少なくとも１つの導管（例えばノイズ／温度絶縁されたパイプ）を通して搬送される場合も、さらに、本発明の範囲に含まれる。  温度調節された空気が、外部に配置され基部（１０２０）から遠隔にある少なくとも１つのＴＲＶ（１０１）から、基部へと流れ込み、それにより、通気動作および空気の流れに起因する振動およびノイズが軽減される場合も、さらに、本発明の範囲に含まれる。ＴＲＶはしたがって、保育器のフード（１４５０）の外部にあり且つ基部（１０２０）から外側且つ遠隔にある、１つまたは複数の異なる位置に配置可能である。
【０２７３】
ＴＲＶが少なくとも１つの通気モジュール（例えば、ファン、ジェット、送風機、圧縮器、流体ポンプ、ペルティエ・モジュール、その他）を含むか、または少なくとも１つの通気モジュールに接続されている場合も、さらに、本発明の範囲に含まれる。ＴＲＶが少なくとも１つの加熱／冷却モジュール（例えば、空調システム、赤外線加熱器、水／油加熱放熱器、電気コイル状の加熱器、開放コイル空気加熱器、丸い開放コイル空気加熱器、対流加熱器、直線型または形成されたチューブ式加熱器、クオーツ・チューブ空気加熱器、キャパシタ型加熱器、ペルティエ・モジュール、またはこれらのあらゆる組み合わせ）を含むか、または少なくとも１つの加熱／冷却モジュールに接続されている場合も、さらに本発明の範囲に含まれる。ＴＲＶが少なくとも１つの空気加湿モジュールを含むか、または少なくとも１つの空気加湿モジュールに接続されている場合も、さらに、本発明の範囲に含まれる。ＴＲＶが少なくとも１つの空気濾過モジュールを含むか、または少なくとも１つの空気濾過モジュールに接続されている場合も、さらに、本発明の範囲に含まれる。ＴＲＶが少なくとも１つの空気脱イオン化モジュールを含むか、または少なくとも１つの空気脱イオン化モジュールに接続されている場合も、さらに、本発明の範囲に含まれる。ＴＲＶが、空気流パラメータの低速化、調整、または緩和を行うための少なくとも１つの空気乱流モジュールを含むか、または少なくとも１つの係る空気乱流モジュールに接続されている場合も、さらに、本発明の範囲に含まれる。空気乱流化手段は、非限定的な様式で、能動的部材（例えばファン、複数ファンの構成もしくは複数ファンのカスケード、空気ポンプ、ダイソン型の羽根のないエアマルチプライア、通気装置、その他など）および／または受動的部材（例えば特定的なテクスチャが施されたストレーナ、連続的な障壁内の湾曲した導管、その他など）から選択される。ＴＲＶが１つまたは複数の上述のモジュールを含む場合も、さらに、本発明の範囲に含まれる。
【０２７４】
ここで図１１Ａを参照すると、保育器（１００）の一実施形態が、一定の縮尺から外れた様式で概略的に示されている。ここで保育器は、新生児を収容するために、フード（１４５０）および基部（１０２０）を含む。保育器はカート（１４００）をさらに含む。カート（１４００）には、直立する支持構造体（１７０）が取り付けられている。この実施形態では、１つまたは複数のＴＲＶ（１０１）は新生児のカート（１４００）上に配置されている。空気はＴＲＶにより支持体（１７０）を介して基部（１０２０）に流され、支持体（１７０）は、空気導管として支持体（１７０）上に提供された開放ボアを有する。基部から、空気流は上向き（１６０）に支援され、穿孔（１７０）を通してフードまたはフードの内側二重ジャケット（図示せず）を貫通する。
【０２７５】
保育器が、部材１４００として示されるカートを含むか、またはカートに接続されている場合も本発明に範囲に含まれるものとして認められ、また、保育器がカートを含むが、カートには接続されていない場合も、本発明に含まれるものと、認められる。保育器が、部材１７０として示される支持部材を含むか、または係る支持部材に接続されている場合も、本発明の範囲に含まれるものとして認められ、また、保育器が係る支持部材を含むが、係る支持部材には接続されていない場合も、本発明に含まれるものと、認められる。
【０２７６】
ここで図１１Ｂを参照すると、保育器（１００ａ）の一実施形態が、一定の縮尺から外れた様式で概略的に示されている。ここで、フードおよび基部を含む保育器は、支持部材１７０に空気連通している。一実施形態ではＴＲＶ１０１Ａは、温度調節された空気が支持体から基部を介してフードに流れるよう、支持体１７０の下方部分内に固定されているか、または下方部分に接続されている。追加的または代替的にＴＲＶ１０１Ｂは、温度調節された空気が支持体から基部を介してフードに流れるよう、支持体１７０の上方部分内に固定されているか、または上方部分に接続されている。
【０２７７】
ここで図１１Ｃを参照すると、保育器（１００ｂ）の一実施形態の側面図が、一定の縮尺から外れた様式で概略的に示されている。ここで保育器は、支持体の補助物およびカートの補助物がない状態で示されている。それにも関わらず、係る補助物は可能である。温度調節された空気は、遠隔位置（ここではスタンドアロン型ＴＲＶ１０１）で生成される。空気は基部からフードへと、例えば２つの異なる穿孔ゾーン（ここでは脚部側穿孔および頭部側穿孔）を介して、流される。保育器の中央部分（１００６ｂ）では、温度調節された空気は流れない。２つの部分（１００６ａ）は空気導管（１００６ｃ）により相互接続されている。
【０２７８】
ここで図１１Ｄを参照すると、保育器の一実施形態（１００ｃ）が、一定の縮尺から外れた様式で概略的に示されている。ここで上方ＴＲＶ（１０１）は、温度調節された空気を、支持体（空気流入口１０５ｉｎ）を介して、熱的絶縁およびノイズ絶縁するパイプ（１５１）を通して、流し、それにより、例えば、支持体内の空気流乱流はフード内では聞こえない。温度調節された空気は、基部に進入し、次いで、事前画成された穿孔ゾーン（１００６ａ）を介してフードに進入する。基部は、穿孔が施されていないエリア１００６Ｂと、空気導管（１００６ｃ）と、をさらに含む。流出する空気ストリーム（１０５ｏｕｔ）は、フードから、ターボ状機構、空気循環調節器、その他により、放出される。
【０２７９】
ここで図１１Ｅを参照すると、図１１Ｃでさらに示された保育器（１００ｂ）の一実施形態の正面断面図が一定の縮尺から外れた様式で概略的に示されている。ここで、図１１Ｅにおいて、温度調節された空気（１００６ａ）は部分的に穿孔された床部および／または側面壁部を介して、２つ以上の方向（すなわち、脚部側空気の時計方向循環（１６１）、および頭部側空気の反時計方向循環（１６２）、または、その逆）に、流される。
【０２８０】
ここで図１１Ｆおよび図１１Ｇを参照すると、本発明のさらに他の実施形態に係る１セットのいくつかの新生児（１）の保育器（１００ｃ、１００ｄ）の側面図が、一定の縮尺から外れた様式で概略的に示されている。保育器１００ｃは基部を有さない保育器であり、温度調節された空気を保育器のフード（１４５０）に供給するための効果的な手段である、少なくとも１つのＴＲＶ（１０１）を含む。この実施形態では、ＴＲＶは保育器のカート（１４００）に配置され、温度調節された空気（１５１ｂ）を支持体（１７０）の開放ボアを介して流す。事前処理された空気は、空気流入口（１５２ａ）（ここでは、埃および他の汚染の流入を防止する上方空気流入口）を介して提供される。温度調節された空気流は、天蓋（１２１０）を介してフード１４５０に向かって支援される。天蓋は、様々な空気流入口および流出口（例えば温度調節された空気の流入口、穿孔された天井壁部の複数のアパーチャ（１７０）、および所望により、フード空気が循環されるときに過剰な空気を流出させるための過剰空気放出孔）を含む。１つまたは複数のＴＲＶが、図１１Ｆに示されるように、カート（１４００）内またはカート（１４００）の近傍に配置されている場合、図１１Ｂに示されるように、支持体下方部分内または支持体下方部分の近傍に配置されている場合、支持体上方部分内または支持体上方部分の近傍に配置されている場合（図１１Ｂ）、図１１Ｄに示されるように天蓋の上方に配置されている場合、図１１Ｃに提示されるように遠隔位置に配置されている場合、これらの組み合わせの場所に配置されている場合、または任意の異なる場所に配置されている場合にも、本発明の範囲に含まれる。
【０２８１】
ここで図１１Ｇを参照すると、基部および天蓋を含む保育器（１００ｄ）が、一定の縮尺から外れた様式で概略的に示されている。本発明の一実施形態によれば、温度調節された空気は、例えば支持体（１７０）の上方部分に配置された、ＴＲＶ（１０１Ｂ）により提供される。温度調節された空気（１６０ｕｐ）は、天蓋から、少なくとも１つの穿孔されたゾーン（１７０）を介して、フードに向かって、下向きに、および／または、下向きおよび側面向き（例えば時計方向および／または反時計方向の空気ストリーム）に、導かれる。次いで、空気は下向きに基部へと流され、次に、保育器から流出する。前述の保育器および温度調節システムにおいて含まれおよび利用され得る本発明の一実施形態では、支持体の下方部分に配置された他の通気孔（例えば１０１Ａ）が、基部（１０２０）に提供される穿孔された底壁部を介して空気流出ストリーム（１６０ｏｕｔ）を放出し、それにより、空気ストリーム１５０Ａが保育器空気システムの外部へと排出される。
【０２８２】
ここで図１２を参照すると、新生児を温度調節するための方法（２０００）の概略的フローチャートが示されている。第１ステップでは、保育器が獲得される（２１００）。獲得された保育器は、新生児が収容されるフードと、フードが取り付けられる基部と、からなる。次のステップは、ＴＲＶにより生成された温度調節された空気が基部に流れるよう、ＴＲＶを基部に空気連通すること（２２００）を含む。一実施形態では、空気連通は、ＴＲＶと基部とを接続する少なくとも１つの導管を通して達成される。導管は、導管を通して能動的に空気を押すための手段、または空気が受動的に導管を通って流れる手段、を含み得る。導管は、その長さに沿って幅が一定に保たれてもよく、または流れが改善されるように幅が変化してもよい。最後のステップでは、フードは、基部を通してＴＲＶにより温度調節される（２３００）フードが所望の温度に到達すると、ただちに新生児をフード内に導入することが可能となる。
【図１ａ】
0006735231.tif 000002
【図１ｂ】
0006735231.tif 000003
【図２ａ】
0006735231.tif 000004
【図２ｂ】
0006735231.tif 000005
【図２ｃ】
0006735231.tif 000006
【図２ｄ】
0006735231.tif 000007
【図２ｅ】
0006735231.tif 000008
【図２ｆ】
0006735231.tif 000009
【図２ｇ】
0006735231.tif 000010
【図２ｈ】
0006735231.tif 000011
【図２ｉ】
0006735231.tif 000012
【図２ｊ】
0006735231.tif 000013
【図２ｋ】
0006735231.tif 000014
【図２ｌ】
0006735231.tif 000015
【図２ｍ】
0006735231.tif 000016
【図２ｎ】
0006735231.tif 000017
【図２ｏ】
0006735231.tif 000018
【図２ｐ】
0006735231.tif 000019
【図３】
0006735231.tif 000020
【図４ａ】
0006735231.tif 000021
【図４ｂ】
0006735231.tif 000022
【図４ｃ】
0006735231.tif 000023
【図５Ａ】
0006735231.tif 000024
【図５Ｂ】
0006735231.tif 000025
【図６】
0006735231.tif 000026
【図７】
0006735231.tif 000027
【図８】
0006735231.tif 000028
【図９】
0006735231.tif 000029
【図１０】
0006735231.tif 000030
【図１１ａ】
0006735231.tif 000031
【図１１ｂ】
0006735231.tif 000032
【図１１ｃ】
0006735231.tif 000033
【図１１ｄ】
0006735231.tif 000034
【図１１ｅ】
0006735231.tif 000035
【図１１ｆ】
0006735231.tif 000036
【図１１ｇ】
0006735231.tif 000037
【図１２】
0006735231.tif 000038